(57)【要約】【課題】液晶表示装置を駆動するときの消費電力を低減する。【解決手段】走査電極の選択期間の最後に、選択している走査電極と、次の選択期間に選択する走査電極とを短絡させる期間を設ける。この期間に走査電極を短絡させることによって、選択している走査電極の電荷が、次に選択する走査電極に供給され、短絡した走査電極の電位が等しくなる。次の選択期間が開始すると、新たに選択する走査電極に対して、既に電荷が供給されている状態から充電を行う。既に電荷が供給されている状態から所定の電位まで充電を行うので、充電すべき電荷が少なくて済む。【選択図】　図４
2004054202.tif 000002
【特許請求の範囲】
【請求項１】
複数の走査電極と複数の信号電極との間に液晶を挟持する液晶表示装置の駆動方法であって、
走査電極を選択しながら走査電極を走査し、
走査電極を選択する選択期間中の最後の一定期間の間、選択している走査電極と次に選択する走査電極とを短絡させる
ことを特徴とする液晶表示装置の駆動方法。
【請求項２】
走査電極を一本ずつ選択し、
選択する走査電極の電位と信号電極の電位の高低関係を選択期間以上の周期で逆転させ、
一本の走査電極を選択する選択期間から次の選択期間まで前記高低関係が維持される場合、前記走査電極を選択する選択期間中の最後の一定期間の間、選択している走査電極と次に選択する走査電極とを短絡させる
請求項１に記載の液晶表示装置の駆動方法。
【請求項３】
同時に複数本の走査電極を選択し、
選択した各走査電極をそれぞれ第一の所定の電位と第二の所定の電位のいずれか一方の電位に設定し、
同時に複数の走査電極を選択する選択期間中の最後の一定期間の間、第一の所定の電位に設定した走査電極と次の選択期間に第一の所定の電位に設定すべき走査電極とを短絡させ、かつ、第二の所定の電位に設定した走査電極と次の選択期間に第二の所定の電位に設定すべき走査電極とを短絡させる
請求項１に記載の液晶表示装置の駆動方法。
【請求項４】
複数の走査電極と複数の信号電極との間に液晶を挟持する液晶表示装置の駆動方法であって、
走査電極を選択しながら走査電極を走査し、
走査電極を選択する選択期間中の最初の一定期間の間、選択する走査電極と直前の選択期間に選択していた走査電極とを短絡させる
ことを特徴とする液晶表示装置の駆動方法。
【請求項５】
走査電極を一本ずつ選択し、
選択する走査電極の電位と信号電極の電位の高低関係を選択期間以上の周期で逆転させ、
直前の選択期間での前記高低関係が維持される場合、走査電極を選択する選択期間中の最初の一定期間の間、選択する走査電極と直前の選択期間に選択していた走査電極とを短絡させる
請求項４に記載の液晶表示装置の駆動方法。
【請求項６】
同時に複数本の走査電極を選択し、
選択した各走査電極をそれぞれ第一の所定の電位と第二の所定の電位のいずれか一方の電位に設定し、
同時に複数の走査電極を選択する選択期間中の最初の一定期間の間、第一の所定の電位に設定すべき走査電極と直前の選択期間に第一の所定の電位に設定した走査電極とを短絡させ、かつ、第二の所定の電位に設定すべき走査電極と直前の選択期間に第二の所定の電位に設定した走査電極とを短絡させる
請求項４に記載の液晶表示装置の駆動方法。
【請求項７】
複数の走査電極と複数の信号電極との間に液晶を挟持する液晶表示装置の駆動方法であって、
走査電極を選択しながら走査電極を走査し、
走査電極を選択する選択期間中の最初の一定期間の間、選択する走査電極と直前の選択期間に選択していた走査電極とを短絡させ、
選択期間中の最後の一定期間の間、選択している走査電極と次に選択する走査電極とを短絡させる
ことを特徴とする液晶表示装置の駆動方法。
【請求項８】
走査電極を一本ずつ選択し、
選択する走査電極の電位と信号電極の電位の高低関係を選択期間以上の周期で逆転させ、
直前の選択期間での前記高低関係が維持される場合、走査電極を選択する選択期間中の最初の一定期間の間、選択する走査電極と直前の選択期間に選択していた走査電極とを短絡させ、
一本の走査電極を選択する選択期間から次の選択期間まで前記高低関係が維持される場合、前記走査電極を選択する選択期間中の最後の一定期間の間、選択している走査電極と次に選択する走査電極とを短絡させる
請求項７に記載の液晶表示装置の駆動方法。
【請求項９】
同時に複数本の走査電極を選択し、
選択した各走査電極をそれぞれ第一の所定の電位と第二の所定の電位のいずれか一方の電位に設定し、
同時に複数の走査電極を選択する選択期間中の最初の一定期間の間、第一の所定の電位に設定すべき走査電極と直前の選択期間に第一の所定の電位に設定した走査電極とを短絡させ、かつ、第二の所定の電位に設定すべき走査電極と直前の選択期間に第二の所定の電位に設定した走査電極とを短絡させ、
選択期間中の最後の一定期間の間、第一の所定の電位に設定した走査電極と次の選択期間に第一の所定の電位に設定すべき走査電極とを短絡させ、かつ、第二の所定の電位に設定した走査電極と次の選択期間に第二の所定の電位に設定すべき走査電極とを短絡させる
請求項７に記載の液晶表示装置の駆動方法。
【請求項１０】
走査電極同士を短絡させる際に、同時にコンデンサに接続することを特徴とする、請求項１、２、３、４、５、６、７、８、または９に記載の液晶表示装置の駆動方法
【発明の詳細な説明】
【０００１】
【発明の属する技術分野】
本発明は、液晶表示装置の駆動方法に関し、特に消費電力を低減する液晶表示装置の駆動方法に関する。
【０００２】
【従来の技術】
液晶表示装置は、マンマシンインタフェース用の表示装置として広く利用されている。例えば、軽量で薄型の表示装置を実現できるという特徴を活かして、ＰＤＡ（Ｐｅｒｓｏｎａｌ　Ｄｉｇｉｔａｌ　Ａｓｓｉｓｔａｎｔｓ）や携帯電話機等の表示装置として広く利用されている。
【０００３】
複数の走査電極と、走査電極に直交するように配置される複数の信号電極との間に液晶を挟持する液晶表示装置の駆動方法として、走査電極を一つずつ選択して選択した走査電極に所定の電圧を印加する線順次駆動法がある。線順次駆動法には、非選択行の走査電極の電位を一定にするＡＰＴ（Ａｌｔｏ　Ｐｌｅｓｈｋｏ　Ｔｅｃｈｎｉｑｕｅ）や、一定周期で非選択行の走査電極の電位を変化させるＩＡＰＴ（Ｉｍｐｒｏｖｅｄ　ＡＰＴ）等がある。また、線順次駆動法の他に、複数の走査電極を同時に選択する複数ライン同時選択法（マルチラインアドレッシング法：ＭＬＡ法）もある。
【０００４】
図１６は、ＡＰＴによって液晶表示装置を駆動する場合の駆動波形を示す。図１６（ａ）〜（ｃ）は、それぞれ第Ｌ−１行、第Ｌ行、第Ｌ＋１行の走査電極の電位の変化を示す。図１６（ｄ）は、一本の信号電極の電位の変化の例を示す。ＡＰＴでは時間Ｔの経過に伴い、各走査電極を順次選択していく。選択した走査電極に対しては、所定の電圧Ｖｒ１を供給する電源回路（以下、Ｖｒ１電源回路と記す。）から電荷を供給し、電位をＶｒ１に設定する。他の走査電極に対しては、Ｖｒ１とは異なる所定の電圧ＶＭを供給する電源回路（以下、ＶＭ電源回路と記す。）から電荷を供給し、電位をＶＭに設定する。
【０００５】
また、各信号電極は、選択行の画素の表示データに応じた電位が設定される。点灯させるべき画素が存在する信号電極の電位はＶｃ１に設定され、その画素には選択時にＶｒ１−Ｖｃ１の電圧が印加される。点灯させるべき画素が存在しない信号電極の電位はＶｃ２に設定され、その画素には選択時にＶｒ１−Ｖｃ２の電圧が印加される。この結果、選択行に所望の画像が表示される。ただし、電位Ｖｃ１，Ｖｃ２は、（Ｖｃ１＋Ｖｃ２）／２＝ＶＭ、かつ、Ｖｃ１＜ＶＭ＜Ｖｃ２＜Ｖｒ１を満足するように定められる。
【０００６】
また、選択した走査電極の電位と、信号電極の電位との高低関係を一定周期毎に逆転させることが多い。選択した走査電極の電位が信号電極の電位より高くなるように駆動することを正極性駆動という。また、選択した走査電極の電位が信号電極の電位より低くなるように駆動することを負極性駆動という。正極性駆動から負極性駆動に切り替えた場合、選択した走査電極に対しては、電圧Ｖｒ２を供給する電源回路（以下、Ｖｒ２電源回路と記す。）から電荷を供給し、電位をＶｒ２に設定する。ただし、電位Ｖｒ１，Ｖｒ２は、（Ｖｒ１＋Ｖｒ２）／２＝ＶＭとなるように定める。例えば、Ｖｒ２＝−Ｖｒ１、ＶＭ＝０Ｖとする。
【０００７】
負極性駆動の場合、点灯させるべき画素が存在する信号電極の電位はＶｃ２に設定され、その画素には選択時にＶｒ２−Ｖｃ２の電圧が印加される。点灯させるべき画素が存在しない信号電極の電位はＶｃ１に設定され、その画素には選択時にＶｒ２−Ｖｃ１の電圧が印加される。
【０００８】
図１６に示す期間Ｔｓは、各走査電極の選択期間を示す。正極性の場合、第Ｌ−１行の選択期間では、第Ｌ−１行の走査電極の電位をＶｒ１に設定し、他の走査電極の電位をＶＭに設定する。また、個々の走査電極は、対向する各信号電極とともにコンデンサを形成する。一本の走査電極と各信号電極とがなすコンデンサの静電容量をＣｒとすると、第Ｌ−１行の選択期間では、第Ｌ−１行の走査電極と各信号電極との間の液晶層にＶｒ１・Ｃｒの電荷が蓄えられる。なお、この電荷量は、各信号電極の電位の設定により変動しうる。ここでは、電位Ｖｃ１の信号電極数と電位Ｖｃ２の信号電極数とが同数であり、各信号電極の平均電位がＶＭ（０Ｖ）になるものとして説明する。第Ｌ−１行の選択期間が終了し、第Ｌ行の選択期間が開始すると、第Ｌ−１行の走査電極は、ＶＭ電源回路によって電位がＶＭに設定される。このとき、第Ｌ−１行の走査電極と各信号電極との間の液晶層は、ＶＭ電源回路に（Ｖｒ１−ＶＭ）・Ｃｒの電荷を放電する。一方、第Ｌ行の走査電極と各信号電極との間の液晶層はＶｒ１電源回路によって充電され、蓄積する電荷は（Ｖｒ１−ＶＭ）・Ｃｒだけ増加する。そして、第Ｌ行の走査電極の電位はＶＭからＶｒ１に変化する。選択行を第Ｌ行から第Ｌ＋１行に切り替える場合の電荷の変化も同様である。このように、各走査電極を選択しながら選択した走査電極の電位をＶｒ１とし、他の走査電極の電位をＶＭとしていく。ここでは正極性駆動を例に説明したが、負極性駆動であっても同様である。
【０００９】
なお、ＩＡＰＴでは、正極性駆動と負極性駆動とで、非選択行の走査電極の電位を変化させる。また、ＭＬＡでは、複数本の走査電極を同時に選択し、選択した各走査電極の電位をそれぞれ所定の電位に設定する。例えば、四本の走査電極を同時に選択し、各走査電極の電位を設定する。続いて、別の四本の走査電極を同時に選択し、それぞれの電位を設定していく。
【００１０】
【発明が解決しようとする課題】
図１６に示すような従来のＡＰＴでは、選択行を切り替えるときに、それまで選択していた走査電極と各走査電極との間の液晶層は（Ｖｒ１−ＶＭ）・Ｃｒの電荷をＶＭ電源回路に放電する。走査電極から放電された電荷は何ら利用されない。このことは、ＩＡＰＴやＭＬＡの場合でも同様である。
【００１１】
そこで、本発明は、走査電極に蓄積された電荷を有効活用して消費電力を低減できる液晶表示装置の駆動方法を提供することを目的とする。
【００１２】
【課題を解決するための手段】
本発明の態様１は、複数の走査電極と複数の信号電極との間に液晶を挟持する液晶表示装置の駆動方法であって、走査電極を選択しながら走査電極を走査し、走査電極を選択する選択期間中の最後の一定期間の間、選択している走査電極と次に選択する走査電極とを短絡させることを特徴とする液晶表示装置の駆動方法を提供する。
【００１３】
本発明の態様２は、走査電極を一本ずつ選択し、選択する走査電極の電位と信号電極の電位の高低関係を選択期間以上の周期で逆転させ、一本の走査電極を選択する選択期間から次の選択期間まで高低関係が維持される場合、走査電極を選択する選択期間中の最後の一定期間の間、選択している走査電極と次に選択する走査電極とを短絡させる液晶表示装置の駆動方法を提供する。
【００１４】
本発明の態様３は、同時に複数本の走査電極を選択し、選択した各走査電極をそれぞれ第一の所定の電位と第二の所定の電位のいずれか一方の電位に設定し、同時に複数の走査電極を選択する選択期間中の最後の一定期間の間、第一の所定の電位に設定した走査電極と次の選択期間に第一の所定の電位に設定すべき走査電極とを短絡させ、かつ、第二の所定の電位に設定した走査電極と次の選択期間に第二の所定の電位に設定すべき走査電極とを短絡させる液晶表示装置の駆動方法を提供する。
【００１５】
本発明の態様４は、複数の走査電極と複数の信号電極との間に液晶を挟持する液晶表示装置の駆動方法であって、走査電極を選択しながら走査電極を走査し、走査電極を選択する選択期間中の最初の一定期間の間、選択する走査電極と直前の選択期間に選択していた走査電極とを短絡させることを特徴とする液晶表示装置の駆動方法を提供する。
【００１６】
本発明の態様５は、走査電極を一本ずつ選択し、選択する走査電極の電位と信号電極の電位の高低関係を選択期間以上の周期で逆転させ、直前の選択期間での高低関係が維持される場合、走査電極を選択する選択期間中の最初の一定期間の間、選択する走査電極と直前の選択期間に選択していた走査電極とを短絡させる液晶表示装置の駆動方法を提供する。
【００１７】
本発明の態様６は、同時に複数本の走査電極を選択し、選択した各走査電極をそれぞれ第一の所定の電位と第二の所定の電位のいずれか一方の電位に設定し、同時に複数の走査電極を選択する選択期間中の最初の一定期間の間、第一の所定の電位に設定すべき走査電極と直前の選択期間に第一の所定の電位に設定した走査電極とを短絡させ、かつ、第二の所定の電位に設定すべき走査電極と直前の選択期間に第二の所定の電位に設定した走査電極とを短絡させる液晶表示装置の駆動方法を提供する。
【００１８】
本発明の態様７は、複数の走査電極と複数の信号電極との間に液晶を挟持する液晶表示装置の駆動方法であって、走査電極を選択しながら走査電極を走査し、走査電極を選択する選択期間中の最初の一定期間の間、選択する走査電極と直前の選択期間に選択していた走査電極とを短絡させ、選択期間中の最後の一定期間の間、選択している走査電極と次に選択する走査電極とを短絡させることを特徴とする液晶表示装置の駆動方法を提供する。
【００１９】
本発明の態様８は、走査電極を一本ずつ選択し、選択する走査電極の電位と信号電極の電位の高低関係を選択期間以上の周期で逆転させ、直前の選択期間での高低関係が維持される場合、走査電極を選択する選択期間中の最初の一定期間の間、選択する走査電極と直前の選択期間に選択していた走査電極とを短絡させ、一本の走査電極を選択する選択期間から次の選択期間まで高低関係が維持される場合、走査電極を選択する選択期間中の最後の一定期間の間、選択している走査電極と次に選択する走査電極とを短絡させる液晶表示装置の駆動方法を提供する。
【００２０】
本発明の態様９は、同時に複数本の走査電極を選択し、選択した各走査電極をそれぞれ第一の所定の電位と第二の所定の電位のいずれか一方の電位に設定し、同時に複数の走査電極を選択する選択期間中の最初の一定期間の間、第一の所定の電位に設定すべき走査電極と直前の選択期間に第一の所定の電位に設定した走査電極とを短絡させ、かつ、第二の所定の電位に設定すべき走査電極と直前の選択期間に第二の所定の電位に設定した走査電極とを短絡させ、選択期間中の最後の一定期間の間、第一の所定の電位に設定した走査電極と次の選択期間に第一の所定の電位に設定すべき走査電極とを短絡させ、かつ、第二の所定の電位に設定した走査電極と次の選択期間に第二の所定の電位に設定すべき走査電極とを短絡させる液晶表示装置の駆動方法を提供する。
【００２１】
本発明の態様１０は、走査電極同士を短絡する際に、同時にコンデンサに接続させることを特徴とする液晶表示装置の駆動方法を提供する。
【００２２】
【発明の実施の形態】
以下、本発明の実施の形態を図面を参照して説明する。
［実施の形態１］まず、第一の実施の形態について説明する。図１は、第一の実施の形態の駆動方法が適用される液晶表示装置の駆動装置の例を示すブロック図である。液晶セル１は、複数の走査電極と複数の信号電極との間に液晶を備える。各走査電極と各信号電極は互いに直交するように配置される。
【００２３】
走査電極ドライバ２および信号電極ドライバ３は、それぞれ複数の電圧出力端子を有する。液晶セル１の個々の走査電極は、走査電極ドライバ２の個々の電圧出力端子と一対一に接続される。液晶セル１の個々の信号電極は、信号電極ドライバ３の個々の電圧出力端子と一対一に接続される。
【００２４】
走査電極ドライバ２は、走査電極を選択しながら全ての走査電極を走査するように液晶セル１を駆動する。本実施の形態ではＡＰＴを採用し、選択した一本の走査電極を所定の電位に設定し、非選択行の走査電極の電位をＶＭとする。ここでは、ＶＭ＝０Ｖであり、正極性駆動時において選択する走査電極は電位Ｖｒに設定し、負極性駆動時において選択する走査電極は電位−Ｖｒに設定する場合を例に説明する。また、走査電極ドライバ２は、各走査電極の選択期間の最後の一定期間に、選択している走査電極と、次に選択する走査電極とを短絡させる。
【００２５】
信号電極ドライバ３は、一本の走査電極の選択期間中、各信号電極の電位を、選択行の画素の表示データに応じた電位に設定する。正極性駆動時において信号電極ドライバ３は、選択行の画素のうち点灯させるべき画素が存在する信号電極の電位を−Ｖｃに設定し、点灯させるべき画素が存在しない信号電極の電位をＶｃに設定する。負極性駆動時において信号電極ドライバ３は、選択行の画素のうち点灯させるべき画素が存在する信号電極の電位をＶｃに設定し、点灯させるべき画素が存在しない信号電極の電位を−Ｖｃに設定する。ただし、−Ｖｒ＜−Ｖｃ＜ＶＭ＜Ｖｃ＜Ｖｒを満足しているものとする。
【００２６】
電源回路２３は、走査電極ドライバ２に、電圧Ｖｒ，ＶＭ（０Ｖ），−Ｖｒを供給する。図２は、電圧Ｖｒ，ＶＭ，−Ｖｒの出力端を示す説明図である。電源回路２３は、電圧Ｖｒの出力端２４と、電圧ＶＭの出力端２５と、電圧−Ｖｒの出力端２６とを備える。電圧Ｖｒ，ＶＭ，−Ｖｒの出力端２４，２５，２６には、それぞれ出力電圧を安定させるためのコンデンサ２７，２８，２９が設けられる。また、電源回路２３は、信号電極ドライバ３に電圧Ｖｃ，−Ｖｃを供給する。図２では、電圧Ｖｃ，−Ｖｃの出力端を省略した。
【００２７】
メモリ２１は、各走査電極に対応する表示データを記憶する記憶領域と、コントローラ２２の制御に従って一行分の表示データ（Ｄａｔａ）を信号電極ドライバ３に出力する出力部（図示せず。）とを備える。コントローラ２２は、メモリ２１が出力すべき一行分のデータのアドレスを指定するメモリ制御信号をメモリ２１に出力する。メモリ２１が備える出力部は、メモリ制御信号によって指定されるアドレスに記憶する表示データを信号電極ドライバ３への出力データ領域にコピーする。また、コントローラ２２は、選択する走査電極の切り換えを示すラッチパルスであるＣＬ（クロック信号）と、次の選択期間において正極性駆動にすべきか負極性駆動にすべきかを指示する信号（以下、ＦＲと記す。）を信号電極ドライバ３に出力する。信号電極ドライバ３は、メモリ２１の出力データ領域にコピーされた一行分の表示データをＣＬの入力タイミングに合わせて読み込む。そして、次のＣＬの入力時に、その表示データとＦＲに応じて各信号電極の電位を設定する。
【００２８】
コントローラ２２は、走査電極ドライバ２に、ＣＬと、ＦＲと、１フレームの開始を示すＦＬＭ（ファーストラインマーカ）とを出力する。さらに、コントローラ２２は、走査電極ドライバ２に走査電極の短絡を制御する信号（以下、ＳＨＡＲＥと記す。）を出力する。以下、ＳＨＡＲＥがハイレベルの場合に短絡させることを指示し、ＳＨＡＲＥがローレベルの場合に短絡させないことを指示するものとする。なお、ＦＲの切り替え周期（正極性駆動と負極性駆動の切り替え周期）は、選択期間以上である。
【００２９】
ＦＲは、次の選択期間において正極性駆動とすべきか負極性駆動とすべきかを指示する信号であるので、ＦＲが切り替わるタイミングで直ちに正極性駆動と負極性駆動とが切り替わるわけではない。例えば、コントローラ２２が、選択期間Ｘと選択期間Ｙとの切り替わりのタイミングで、正極性駆動を指示するようにＦＲを切り替えるとする。この場合、走査電極ドライバ２および信号電極ドライバ３は、ＦＲが切り替えられた選択期間Ｙの次の選択期間から正極性駆動を開始する。
【００３０】
図３は、走査電極ドライバ２の構成例を示す説明図である。走査電極ドライバ２は、図２に示す電圧Ｖｒの出力端２４から電圧を供給される第一の配線１１と、電圧ＶＭの出力端２５から電圧を供給される第二の配線１２と、電圧−Ｖｒの出力端２６から電圧を供給される第三の配線１３とを備える。さらに、正極性駆動時の選択期間の最後に、選択している走査電極と、次に選択する走査電極とを短絡させる第四の配線１４と、負極性駆動時の選択期間の最後に、選択している走査電極と、次に選択する走査電極とを短絡させる第五の配線１５とを備える。各走査電極は第一の配線１１から第五の配線１５のいずれかに接続されることによって、電位が切り替えられる。各線の切替は、各走査電極と一対一に対応するスイッチ１６〜１８等によって行う。スイッチ１６〜１８は、それぞれ第一行から第三行の走査電極に接続する。図２では、第一行から第三行の走査電極に接続するスイッチを示すが、走査電極ドライバ２は、各行に対応するスイッチを備える。
【００３１】
走査電極ドライバ２は、正極性駆動と負極性駆動のいずれの場合であっても、非選択行の走査電極に対応するスイッチを第二の配線１２に接続し、電位をＶＭに設定する。正極性駆動の場合、走査電極ドライバ２は、選択行に対応するスイッチを第一の配線１１に接続し、選択行の電位をＶｒに設定する。選択期間の最後にＳＨＡＲＥがハイレベルになると、走査電極ドライバ２は、選択している走査電極に対応するスイッチを第四の配線１４に接続する。
【００３２】
また、負極性駆動の場合、走査電極ドライバ２は、選択行に対応するスイッチを第三の配線１３に接続し、選択行の電位を−Ｖｒに設定する。選択期間の最後にＳＨＡＲＥがハイレベルになると、走査電極ドライバ２は、選択している走査電極に対応するスイッチを第五の配線１５に接続する。
【００３３】
走査電極ドライバ２は、正極性駆動と負極性駆動のいずれの場合であっても、ＳＨＡＲＥがハイレベルの間は、次の選択期間において正極性駆動とすべき場合には次に選択すべき走査電極に対応するスイッチを第四の配線１４に接続し、次の選択期間において負極性駆動とすべき場合には次に選択すべき走査電極に対応するスイッチを第五の配線１５に接続する。すなわち、走査電極ドライバ２は、正極性駆動時において、次の選択期間でも正極性駆動を維持する場合には、選択している走査電極と、次に選択する走査電極とを第四の配線１４で短絡させる。また、負極性駆動時において、次の選択期間でも負極性駆動を維持する場合には、選択している走査電極と、次に選択する走査電極とを第五の配線１５で短絡させる。走査電極ドライバ２は、次の選択期間において正極性駆動とすべきか負極性駆動とすべきかをＦＲによって判断する。
【００３４】
図４は、駆動時にコントローラ２２が信号を出力するタイミングと、その信号に応じた駆動波形の例を示す説明図である。ここでは、次の選択期間における極性として正極性駆動を指示するときにコントローラ２２がＦＲをハイレベルにし、次の選択期間における極性として負極性駆動を指示するときにＦＲをローレベルにする場合を例に説明する。また、コントローラ２２が１フレーム毎にＦＲのレベルを切り替える場合を例に説明する。走査電極ドライバ２は、ＦＬＭが入力されると、ＦＬＭに続いて入力されるＣＬに応じて選択する走査電極を順次切り替える。ＣＬが入力されてから、次のＣＬが入力されるまでの期間Ｔｓが、一つの走査電極の選択期間である。
【００３５】
コントローラ２２はＦＬＭを出力し、また、ＦＲを切り替える。ここではＦＲをローレベルからハイレベルに切り替える場合を例に説明する。走査電極ドライバ２は、ＦＬＭに続いて最初にＣＬが入力されると、最終行の走査電極を選択する。このときＦＲがハイレベルになったとしても、走査電極ドライバ２は最終行の選択期間では負極性駆動を行う。そして、次の選択期間から正極性駆動を開始する。コントローラ２２は、最終行の選択期間の最後にＳＨＡＲＥをハイレベルにする。ＳＨＡＲＥがハイレベルの間、走査電極ドライバ２は、選択している走査電極（最終行の走査電極）に対応するスイッチを第五の配線１５に接続し、次に選択する第一行の走査電極に対応するスイッチを第四の配線１４に接続する。最終行の走査電極に対応するスイッチが第五の配線１５に接続されても、最終行の走査電極の電位は変化しない。同様に、第一行の走査電極に対応するスイッチが第四の配線に接続されても、第一行の走査電極の電位は変化しない。
【００３６】
続いてＣＬが入力されると、走査電極ドライバ２は、第一行の走査電極を選択する。そして、ＦＲによってこの選択期間から正極性駆動を開始するように指示されているので、第一行に対応するスイッチ１６を第一の配線１１に接続し、他のスイッチを第二の配線１２に設定する。この結果、第一行の走査電極の電位はＶｒに設定される。このとき、第一行の走査電極と各信号電極との間の液晶層にはＶｒ・Ｃｒの電荷が蓄えられる。ただし、Ｃｒは一本の走査電極と各信号電極とがなすコンデンサの静電容量である。なお、この液晶層に蓄積される電荷は、各信号電極の電位によって変化しうる。例えば、全ての信号電極の電位がＶｃであると、液晶層の電荷は（Ｖｒ−Ｖｃ）・Ｃｒとなり、全ての信号電極の電位が−Ｖｃであると、電荷は（Ｖｒ＋Ｖｃ）・Ｃｒとなる。ここでは、電位Ｖｃの信号電極の本数と電位−Ｖｃの信号電極の本数とが等しいものとする。この場合、信号電極の平均電位は０Ｖであり、液晶層に蓄積される電荷はＶｒ・Ｃｒとなる。また、他の走査電極の電位はＶＭ（０Ｖ）に設定される。他の走査電極と各信号電極との間の液晶層に蓄えられる電荷は０である。
【００３７】
コントローラ２２は、ＣＬを出力して時間Ｔ１が経過すると、ＳＨＡＲＥをハイレベルにする。走査電極ドライバ２は、ＳＨＡＲＥがハイレベルになると、選択している第一行の走査電極に対応するスイッチ１６を第四の配線１４に接続する。そして、ＦＲはハイレベルのままであり、次の選択期間でも正極性駆動を行うので、次に選択する第二行の走査電極に対応するスイッチ１７も第四の配線１４に接続する。すると、第二行の液晶層（第二行の走査電極と各信号電極との間の液晶層）は、第一行の液晶層（第一行の走査電極と各信号電極との間の液晶層）に蓄積されていた電荷によって充電され、第一行の液晶層および第二行の液晶層には、それぞれ（Ｖｒ・Ｃｒ）／２の電荷が蓄積される。そして、第一行および第二行の走査電極電位はともにＶｒ／２になる。
【００３８】
コントローラ２２は、次のＣＬを出力するまでの一定期間の間、ＳＨＡＲＥをハイレベルにする。ＳＨＡＲＥをハイレベルとする期間は、少なくとも一本の走査電極の時定数（各走査電極の抵抗ＲとＣｒとの積）の１／２以上に設定する。コントローラ２２は、次のＣＬを出力するときにＳＨＡＲＥをローレベルにする。なお、時間Ｔ１は、ＳＨＡＲＥをハイレベルにする期間を選択期間から差し引いて定める。
【００３９】
走査電極ドライバ２に次のＣＬが入力されると、走査電極ドライバ２は、第二行の走査電極を選択する。このとき、第一行に対応するスイッチ１６を第四の配線１４から第二の配線１２に切り替え、第二行に対応するスイッチ１７を第四の配線１４から第一の配線１１に切り替える。この結果、第一行の液晶層に蓄えられていた（Ｖｒ・Ｃｒ）／２の電荷は電圧ＶＭの出力端２５に放電され、第一行の走査電極の電位はＶＭに設定される。また、第二行の液晶層は、電荷（Ｖｒ・Ｃｒ）／２を蓄積した状態から充電される。そして、Ｖｒ・Ｃｒの電荷を蓄え、第二行の走査電極電位はＶｒになる。なお、他の走査電極の電位はＶＭのままである。
【００４０】
コントローラ２２は、第一行選択時と同様に、ＣＬを出力して期間Ｔ１が経過すると、次のＣＬを出力するまでの一定期間ＳＨＡＲＥをハイレベルにする。走査電極ドライバ２は、ＳＨＡＲＥがハイレベルになると、選択している第二行の走査電極に対応するスイッチ１７を第四の配線１４に接続する。そして、ＦＲはハイレベルのままであり、次の選択期間でも正極性駆動を行うので、次に選択する第三行の走査電極に対応するスイッチ１８も第四の配線１４に接続する。すると、第三行の液晶層（第三行の走査電極と各信号電極との間の液晶層）は、第二行の液晶層に蓄積されていた電荷によって充電され、第二行の液晶層および第三行の液晶層には、それぞれ（Ｖｒ・Ｃｒ）／２の電荷が蓄積される。第二行および第三行の走査電極電位はともにＶｒ／２になる。
【００４１】
再びＣＬが出力され、第三行目以降を選択する場合も、第二行選択時と同様に各スイッチを切り替える。この結果、それまで選択していた行の液晶層に蓄えられていた（Ｖｒ・Ｃｒ）／２の電荷は電圧ＶＭの出力端２５に放電され、電位ＶＭに設定される。選択する行の液晶層は、電荷Ｖｒ・Ｃｒ／２を蓄積した状態から充電され、Ｖｒ・Ｃｒの電荷を蓄える。そして、選択する走査電極の電位はＶｒになる。
【００４２】
正極性駆動を行う間、信号電極ドライバ３は、各選択期間において、選択行の画素のうち点灯させるべき画素が存在する信号電極の電位を−Ｖｃに設定し、その画素にＶｒ＋Ｖｃの電圧を印加する。また、点灯させるべき画素が存在しない信号電極の電位をＶｃに設定し、その画素にＶｒ−Ｖｃの電圧を印加する。
【００４３】
コントローラ２２は、走査電極ドライバ２に最終行の走査電極を選択させるときに、再度ＦＬＭを出力し、ＦＲをハイレベルからローレベルに切り替える。そして、最終行の選択期間においても、コントローラ２２は、ＣＬを出力して期間Ｔ１が経過すると一定期間ＳＨＡＲＥをハイレベルにする。走査電極ドライバ２は、ＳＨＡＲＥがハイレベルになると、選択している最終行の走査電極に対応するスイッチを第四の配線１４に接続する。そして、ＦＲはローレベルに切り替えられ、次の選択期間では負極性駆動を行うので、次に選択する第一行の走査電極に対応するスイッチ１６を第五の配線１５に接続する。この場合、最終行の液晶層（最終行の走査電極と各信号電極との間の液晶層）と第一行の液晶層との間で電荷は移動せず、最終行および第一行の走査電極の電位は変化しない。
【００４４】
負極性駆動を開始した場合、走査電極ドライバ２は、ＣＬが入力されると選択行に対応するスイッチを第三の配線１３に接続し、他のスイッチを第二の配線１２に設定する。この結果、選択行の走査電極の電位は−Ｖｒに設定される。このとき、選択行の走査電極と各信号電極の間の液晶層には−Ｖｒ・Ｃｒの電荷が蓄えられる。また、他の走査電極の電位はＶＭ（０Ｖ）に設定される。他の走査電極と各信号電極との間の液晶層に蓄えられる電荷は０である。正極性駆動時と同様に、コントローラ２２は、ＣＬを出力して時間Ｔ１が経過すると、ＳＨＡＲＥをハイレベルにする。走査電極ドライバ２は、ＳＨＡＲＥがハイレベルになると、選択している行および次に選択する行の走査電極に対応するスイッチを第五の配線１５に接続する。すると、次に選択する行の液晶層は、選択している行の液晶層に蓄積されていた電荷によって充電され、二つの行の液晶層にはそれぞれ（−Ｖｒ・Ｃｒ）／２の電荷が蓄積される。この二つの行の走査電極電位はともに−Ｖｒ／２になる。
【００４５】
次の行を選択するときには、走査電極ドライバ２は、選択していた行に対応するスイッチを第五の配線１５から第二の配線１２に切り替え、選択する行に対応するスイッチを第五の配線１５から第三の配線１３に切り替える。この結果、それまで選択していた行の液晶層に蓄積された（−Ｖｒ・Ｃｒ）／２の電荷は電圧ＶＭの出力端２５に放電される。また、選択する行の液晶層は、電荷（−Ｖｒ・Ｃｒ）／２を蓄積した状態から充電され、−Ｖｒ・Ｃｒの電荷を蓄える。そして、選択行の走査電極電位は−Ｖｒになる。
【００４６】
ただし、次の選択期間が正極性駆動となる場合、走査電極ドライバ２は、ＳＨＡＲＥがハイレベルのときに、次に選択する走査電極に対応するスイッチを第四の配線１４に接続する。この場合、電荷の移動はなく、ＳＨＡＲＥはハイレベルであっても各走査電極の電位は変化しない。
【００４７】
負極性駆動を行う間、信号電極ドライバ３は、各選択期間において、選択行の画素のうち点灯させるべき画素が存在する信号電極の電位をＶｃに設定し、その画素に−（Ｖｒ＋Ｖｃ）の電圧を印加する。また、点灯させるべき画素が存在しない信号電極の電位を−Ｖｃに設定し、その画素に−（Ｖｒ−Ｖｃ）の電圧を印加する。
【００４８】
第一の実施の形態に示す駆動方法によれば、選択期間Ｔｓの最後に、選択している行と次に選択する行の走査電極同士を短絡させ、選択している走査電極の電荷の一部を次に選択する走査電極に供給する。従って、選択行切替時に、それまで選択していた走査電極からの放電量と、次に選択する走査電極への充電量とを減少させることができる。その結果、液晶表示装置を駆動する際の消費電力を減少させることができる。
【００４９】
［実施例］デューティ比を１／１７６とし、フレーム周波数を６０Ｈｚとして、第一の実施の形態に示す駆動方法で液晶表示装置を駆動した。また、ＳＨＡＲＥをハイレベルにする期間は２μｓとした。このとき電圧Ｖｒの出力端２４から流れる電流は１９２μＡであった。
【００５０】
［比較例］ＳＨＡＲＥ期間を設けない点以外は、実施例と同様に液晶表示装置を駆動した。このとき電圧Ｖｒの出力端２４からの電流は３２１μＡであり、実施例の場合よりも増加した。
【００５１】
［実施の形態２］次に、第二の実施の形態について説明する。第二の実施の形態は、第一の実施の形態と同様にＡＰＴを採用する。第二の実施の形態の駆動方法が適用される液晶表示装置の駆動装置は、図１に示す駆動装置と同様である。ただし、走査電極ドライバ２の構成が第一の実施の形態とは異なる。図５は、第二の実施の形態に適用される走査電極ドライバ２の構成例を示す説明図である。走査電極ドライバ２は、図２に示す電圧Ｖｒの出力端２４から電圧を供給される第一の配線３１と、電圧ＶＭの出力端２５から電圧を供給される第二の配線３２と、電圧−Ｖｒの出力端２６から電圧を供給される第三の配線３３とを備える。第一の実施の形態とは異なり、第四の配線および第五の配線は備えない。また、第一の配線３１と第三の配線３３には、それぞれスイッチ３４，３５が設けられる。スイッチ３４，３５は二点切替スイッチであり、一方の端子は、電圧Ｖｒの入力端または電圧−Ｖｒの入力端に接続される。以下、電圧の入力端に接続されていない方の端子を、ＳＨＡＲＥ用端子と記すことにする。すなわち、スイッチ３４，３５は、それぞれ電圧Ｖｒの入力端または電圧−Ｖｒの入力端に接続するか、ＳＨＡＲＥ用端子に接続するかを選択できるようになっている。図５では、ＳＨＡＲＥ用端子にコンデンサを接続した場合を示すが、コンデンサを接続せず、開放としてもよい。以下、本実施の形態においては、コンデンサを接続せず、開放とした場合について示す。各配線の切替は、各走査電極と一対一に対応するスイッチ３６〜３８等によって行う。図５では、走査電極に対応するスイッチとして三個のスイッチを示すが、走査電極ドライバ２は、走査電極と同数のスイッチを備える。
【００５２】
走査電極ドライバ２は、正極性駆動と負極性駆動のいずれの場合であっても、ＳＨＡＲＥがハイレベルであるときには、スイッチ３４，３５をそれぞれＳＨＡＲＥ用端子側に接続する。ＳＨＡＲＥがローレベルであるときには、スイッチ３４，３５をそれぞれ電圧Ｖｒ，−Ｖｒの入力端側に接続する。
【００５３】
走査電極ドライバ２は、正極性駆動と負極性駆動のいずれの場合であっても、非選択行の走査電極に対応するスイッチを第二の配線３２に接続し、電位をＶＭに設定する。正極性駆動の場合、走査電極ドライバ２は、選択する走査電極に対応するスイッチを第一の配線３１に接続し、電位をＶｒに設定する。負極性駆動の場合、走査電極ドライバ２は、選択する走査電極に対応するスイッチを第三の配線３３に接続し、電位を−Ｖｒに設定する。
【００５４】
走査電極ドライバ２は、選択期間の最後にＳＨＡＲＥがハイレベルになっている間、次の選択期間において正極性駆動とすべき場合には次に選択すべき走査電極に対応するスイッチを第一の配線３１に接続する。次の選択期間において負極性駆動とすべき場合には次に選択すべき走査電極に対応するスイッチを第三の配線３３に接続する。また、ＳＨＡＲＥがハイレベルの間スイッチ３４，３５をＳＨＡＲＥ用端子側に接続する。従って、正極性駆動時において、次の選択期間でも正極性駆動を維持する場合には、選択している走査電極と、次に選択する走査電極とを第一の配線３１で短絡させることになる。また、負極性駆動時において、次の選択期間でも負極性を維持する場合には、選択している走査電極と、次に選択する走査電極とを第三の配線３３で短絡させることになる。走査電極ドライバ２は、次の選択期間における極性をＦＲによって判断する。
【００５５】
なお、信号電極ドライバ３は、各選択期間において、各信号電極を選択行の表示データに応じた電位に設定する。
【００５６】
第二の実施の形態において、コントローラ２２が信号を出力するタイミングは、図４に示す場合と同様である。この結果、駆動波形も、図４に示す駆動波形と同様になる。正極性駆動を行う場合、走査電極ドライバ２は、ＣＬが入力されると選択行に対応するスイッチを第一の配線３１に接続し、他のスイッチを第二の配線３２に設定する。この結果、選択行の走査電極の電位はＶｒに設定される。このとき、選択行の走査電極と各信号電極との間の液晶層にはＶｒ・Ｃｒの電荷が蓄えられる。また、他の走査電極の電位はＶＭ（０Ｖ）に設定される。他の走査電極と各信号電極との間の液晶層に蓄えられる電荷は０である。第一の実施の形態と同様に、コントローラ２２は、ＣＬを出力して時間Ｔ１が経過すると、ＳＨＡＲＥをハイレベルにする。走査電極ドライバ２は、ＳＨＡＲＥがハイレベルになると、選択している行および次に選択する行の走査電極に対応するスイッチを第一の配線３１に接続する。また、第一の配線３１のスイッチ３４と、第三の配線３３のスイッチ３５とをＳＨＡＲＥ用端子側に接続する。すると、次に選択する行の液晶層は、選択している行の液晶層に蓄積されていた電荷によって充電され、二つの行の液晶層には、それぞれＶｒ・Ｃｒ／２の電荷が蓄積される。この二つの行の走査電極電位はともにＶｒ／２になる。
【００５７】
ＣＬが入力され、次の行を選択するときには、走査電極ドライバ２は、選択していた行に対応するスイッチを第一の配線３１から第二の配線３２に切り替え、選択する行に対応するスイッチを第一の配線３１に接続したままにする。同時に、第一の配線３１のスイッチ３４および第三配線３３のスイッチ３５を、それぞれ電圧Ｖｒ，−Ｖｒの入力端側に接続する。この結果、それまで選択していた行の液晶層に蓄積されたＶｒ・Ｃｒ／２の電荷は電圧ＶＭの出力端２５に放電される。また、選択する行の液晶層は、電荷Ｖｒ・Ｃｒ／２を蓄積した状態から充電され、Ｖｒ・Ｃｒの電荷を蓄える。選択する走査電極の電位はＶｒになる。
【００５８】
ただし、次の選択期間では正極性駆動を維持しない場合、ＳＨＡＲＥがハイレベルになると、走査電極ドライバ２は、次に選択する走査電極に対応するスイッチを第三の配線３３に接続する。この場合、選択している走査電極と次に選択する走査電極との間で電荷の移動はなく、ＳＨＡＲＥがハイレベルであっても各走査電極の電位は変化しない。
【００５９】
負極性駆動を行う場合、走査電極ドライバ２は、ＣＬが入力されると選択行に対応するスイッチを第三の配線３３に接続し、他のスイッチを第二の配線３２に設定する。この結果、選択行の走査電極の電位は−Ｖｒに設定される。このとき、選択行の走査電極と各信号電極との間の液晶層には−Ｖｒ・Ｃｒの電荷が蓄えられる。また、他の走査電極の電位はＶＭ（０Ｖ）に設定される。他の走査電極と各信号電極との間の液晶層に蓄えられる電荷は０である。コントローラ２２は、ＣＬを出力して時間Ｔ１が経過すると、ＳＨＡＲＥをハイレベルにする。走査電極ドライバ２は、ＳＨＡＲＥがハイレベルになると、選択している行および次に選択する行の走査電極に対応するスイッチを第三の配線３３に接続する。また、第一の配線３１のスイッチ３４と、第三の配線３３のスイッチ３５とをＳＨＡＲＥ用端子側に接続する。すると、次に選択する行の液晶層は、選択している行の液晶層に蓄積されていた電荷によって充電され、二つの行の液晶層には、それぞれ（−Ｖｒ・Ｃｒ）／２の電荷が蓄積される。この二つの行の走査電極電位はともに−Ｖｒ／２になる。
【００６０】
ＣＬが入力され、次の行を選択するときには、走査電極ドライバ２は、選択していた行に対応するスイッチを第三の配線３３から第二の配線３２に切り替え、選択する行に対応するスイッチを第三の配線３３に接続したままにする。同時に、第一の配線３１のスイッチ３４および第三の配線３３のスイッチ３５を、それぞれ電圧Ｖｒ，−Ｖｒの入力側に接続する。この結果、それまで選択していた行の液晶層に蓄積された（−Ｖｒ・Ｃｒ）／２の電荷は電圧ＶＭの出力端２５に放電される。また、選択する行の液晶層は、電荷（−Ｖｒ・Ｃｒ）／２を蓄積した状態から充電され、−Ｖｒ・Ｃｒの電荷を蓄える。選択する走査電極の電位は−Ｖｒになる。
【００６１】
ただし、次の選択期間では負極性駆動を維持しない場合、ＳＨＡＲＥがハイレベルになると、走査電極ドライバ２は、次に選択する走査電極に対応するスイッチを第一の配線３１に接続する。この場合、選択している走査電極と次に選択する走査電極との間で電荷の移動はなく、ＳＨＡＲＥがハイレベルであっても各走査電極の電位は変化しない。
【００６２】
第二の実施の形態に示す駆動方法によれば、選択期間Ｔｓの最後に、選択している行と次に選択する行の走査電極同士を短絡させ、選択している走査電極の電荷の一部を次に選択する走査電極に供給する。従って第一の実施の形態と同様に、液晶表示装置を駆動する際の消費電力を減少させることができる。
【００６３】
図５に示したように、ＳＨＡＲＥ用端子側にコンデンサを接続することも可能である。この場合、走査電極同士を短絡させると同時に、短絡させる各走査電極をＳＨＡＲＥ用コンデンサにも短絡させることになる。
【００６４】
［実施の形態３］次に、第三の実施の形態について説明する。第三の実施の形態は、ＩＡＰＴを採用する。図６は、第三の実施の形態の駆動方法が適用される液晶表示装置の駆動装置の例を示すブロック図である。第一の実施の形態における装置と同様の装置は、図１と同じ番号で示し、説明を省略する。
【００６５】
走査電極ドライバ５２および信号電極ドライバ５３は、それぞれ複数の電圧出力端子を有する。液晶セル１の個々の走査電極は、走査電極ドライバ５２の個々の電圧出力端子と一対一に接続される。液晶セル１の個々の信号電極は、信号電極ドライバ５３の個々の電圧出力端子と一対一に接続される。
【００６６】
電源回路５１は、走査電極ドライバ５２に、電圧Ｖ５，Ｖ４，Ｖ１，Ｖ０を供給し、信号電極ドライバ５３に、電圧Ｖ５，Ｖ３，Ｖ２，Ｖ０を供給する。電源回路５１が出力する電圧Ｖ０〜Ｖ５は、Ｖ０＜Ｖ１＜Ｖ２＜Ｖ３＜Ｖ４＜Ｖ５かつＶ５−Ｖ４＝Ｖ１−Ｖ０＝Ｖ４−Ｖ３＝Ｖ２−Ｖ１が成立するように定められる。
【００６７】
なお、電圧Ｖ５は、正極性駆動時に選択された走査電極に印加され、また、負極性駆動時に点灯させる画素が存在する信号電極に印加される電圧である。電圧Ｖ４は、負極性駆動時に選択されていない走査電極に印加される電圧である。電圧Ｖ３は、負極性駆動時に点灯させる画素が存在しない信号電極に印加される電圧である。電圧Ｖ２は、正極性駆動時に点灯させる画素が存在しない信号電極に印加される電圧である。電圧Ｖ１は、正極性駆動時に選択されていない走査電極に印加される電圧である。電圧Ｖ０は、負極性駆動時に選択された走査電極に印加され、また、正極性駆動時に点灯させる画素が存在する信号電極に印加される電圧である。
【００６８】
走査電極ドライバ５２は、走査電極を選択しながら全ての走査電極を走査するように液晶セル１を駆動する。また、各走査電極の選択期間の最後の一定期間に、選択している走査電極と、次に選択する走査電極とを短絡させる。
【００６９】
図７は、走査電極ドライバ５２の構成例を示す説明図である。走査電極ドライバ５２は、電圧Ｖ５の出力端から電圧を供給される第一の配線６１と、電圧Ｖ４の出力端から電圧を供給される第二の配線６２と、電圧Ｖ１の出力端から電圧を供給される第三の配線６３と、電圧Ｖ０の出力端から電圧を供給される第四の配線６４とを備える。さらに、選択期間の最後に、選択している走査電極と、次に選択する走査電極とを短絡させる第五の配線６５を備える。各走査電極は第一の配線６１から第五の配線６５のいずれかに接続されることによって、電位が切り替えられる。各線の切替は、各走査電極と一対一に対応するスイッチ６６〜６８等によって行う。スイッチ６６〜６８は、それぞれ第一行から第三行の走査電極に接続する。図７では、第一行から第三行の走査電極に接続するスイッチを示すが、走査電極ドライバ５２は、各行に対応するスイッチを備える。
【００７０】
走査電極ドライバ５２は、正極性駆動時に、選択行に対応するスイッチを第一の配線６１に接続し、選択する走査電極の電位をＶ５に設定する。また、非選択行に対応するスイッチを第三の配線６３に接続し、非選択行の走査電極の電位をＶ１に設定する。負極性駆動時には、選択行に対応するスイッチを第４の配線６４に接続し、選択する走査電極の電位をＶ０に設定する。また、非選択行に対応するスイッチを第二の配線６２に接続し、非選択行の走査電極の電位をＶ４に設定する。また、走査電極ドライバ５２は、選択期間の最後にＳＨＡＲＥがハイレベルになっている間は、次の選択期間でも正極性駆動あるいは負極性駆動を維持する場合に、選択している走査電極および次に選択すべき走査電極に対応するスイッチをそれぞれ第五の配線６５に接続する。次の選択期間で正極性駆動あるいは負極性駆動が維持されないならば、走査電極ドライバ５２は、ＳＨＡＲＥがハイレベルになっても、選択している走査電極および次に選択すべき走査電極に対応するスイッチを切り替えない。
【００７１】
図８は、駆動時にコントローラ２２が信号を出力するタイミングと、その信号に応じた駆動波形の例を示す説明図である。第一の実施の形態と同様に、次の選択期間における極性として正極性駆動を指示するときにコントローラ２２がＦＲをハイレベルにし、次の選択期間における極性として負極性を指示するときにＦＲをローレベルにする場合を例に説明する。ＦＲの切り替え周期は選択期間以上である。ここでは、コントローラ２２が１フレーム毎にＦＲのレベルを切り替える場合を例に説明する。走査電極ドライバ５２は、ＦＬＭが入力されると、ＦＬＭに続いて入力されるＣＬに応じて選択する走査電極を順次切り替える。ＣＬが入力されてから、次のＣＬが入力されるまでの期間Ｔｓが、一つの走査電極の選択期間である。
【００７２】
コントローラ２２はＦＬＭを出力し、また、ＦＲを切り替える。ここではＦＲをローレベルからハイレベルに切り替える場合を例に説明する。走査電極ドライバ５２は、ＦＬＭに続いてＣＬが入力されると最終行の走査電極を選択する。走査電極ドライバ５２は最終行の選択期間では負極性駆動を行い、次の選択期間から正極性駆動を開始する。コントローラ２２は、最終行の選択期間の最後にＳＨＡＲＥをハイレベルにする。次の選択期間では負極性駆動を維持せずに正極性駆動を開始するので、走査電極ドライバ５２は、ＳＨＡＲＥがハイレベルに切り替わっても、最終行に対応するスイッチを第四の配線６４に接続したままにし、第一行に対応するスイッチを第二の配線６２に接続したままにする。
【００７３】
続いてＣＬが入力されると、走査電極ドライバ５２は、第一行の走査電極を選択する。そして、ＦＲによってこの選択期間から正極性駆動を開始するように指示されているので、第一行に対応するスイッチ６６を第一の配線６１に接続し、他のスイッチを第三の配線６３に設定する。この結果、第一行の走査電極の電位はＶ５に設定される。このとき、第一行の走査電極と各信号電極との間の液晶層にはＶ５・Ｃｒの電荷が蓄えられる。ただし、Ｃｒは一本の走査電極と各信号電極とがなすコンデンサの静電容量である。なお、この液晶層に蓄積される電荷は、各信号電極の電位によって変化しうる。ここでは、各信号電極の電位がＶ０に保たれ、Ｖ０＝０Ｖである場合を例に説明する。また、他の走査電極の電位はＶ１に設定される。他の走査電極と各信号電極との間の液晶層に蓄えられる電荷はＶ１・Ｃｒである。
【００７４】
コントローラ２２は、ＣＬを出力して時間Ｔ１が経過すると、ＳＨＡＲＥをハイレベルにする。また、ＦＲはハイレベルのままであるので、次の選択期間でも正極性駆動を維持する。従って、走査電極ドライバ５２は、ＳＨＡＲＥがハイレベルになると、選択している第一行および次に選択する第二行の走査電極に対応するスイッチ６６，６７を第五の配線６５に接続する。すると、第二行の液晶層（第二行の走査電極と各信号電極との間の液晶層）は、第一行の液晶層（第一行の走査電極と各信号電極との間の液晶層）に蓄積されていた電荷によって充電され、第一行の液晶層および第二行の液晶層には、それぞれ（Ｖ５＋Ｖ１）・Ｃｒ／２の電荷が蓄積される。そして、第一行および第二行の走査電極電位はともに（Ｖ５＋Ｖ１）／２になる。
【００７５】
コントローラ２２は、次のＣＬを出力するまでの一定期間の間、ＳＨＡＲＥをハイレベルにする。ＳＨＡＲＥをハイレベルとする期間は、少なくとも一本の走査電極の時定数の１／２以上に設定する。コントローラ２２は、次のＣＬを出力するときにＳＨＡＲＥをローレベルにする。時間Ｔ１は、ＳＨＡＲＥをハイレベルにする期間を選択期間から差し引いて定める。
【００７６】
走査電極ドライバ５２に次のＣＬが入力されると、走査電極ドライバ５２は、第二行の走査電極を選択する。このとき、第一行に対応するスイッチ６６を第五の配線６５から第三の配線６３に切り替え、第二行に対応するスイッチ６７を第五の配線６５から第一の配線６１に切り替える。この結果、第一行の液晶層に蓄えられていた電荷は電圧Ｖ１の出力端に放電される。そして、電荷量は（Ｖ５＋Ｖ１）・Ｃｒ／２からＶ１・Ｃｒに変化し、第一行の走査電極の電位はＶ１に設定される。また、第二行の液晶層は、電荷（Ｖ５＋Ｖ１）・Ｃｒ／２を蓄積した状態から充電される。そして、Ｖ５・Ｃｒの電荷を蓄え、第二行の走査電極電位はＶ５になる。なお、他の走査電極の電位はＶ１のままである。
【００７７】
コントローラ２２は、第一行選択時と同様に、ＣＬを出力して期間Ｔ１が経過するとＳＨＡＲＥをハイレベルにする。また、ＦＲはハイレベルのままであり、次の選択期間でも正極性駆動を維持する。従って、走査電極ドライバ５２は、ＳＨＡＲＥがハイレベルになると、選択している第二行および次に選択する第三行の走査電極に対応するスイッチ６７，６８を第五の配線６５に接続する。すると、第三行の液晶層（第三行の走査電極と各信号電極との間の液晶層）は、第二行の液晶層に蓄積されていた電荷によって充電され、第二行の液晶層および第三行の液晶層には、それぞれ（Ｖ５＋Ｖ１）・Ｃｒ／２の電荷が蓄積される。第二行および第三行の走査電極電位はともに（Ｖ５＋Ｖ１）／２になる。
【００７８】
再びＣＬが出力され、第三行目以降を選択する場合も、第二行選択時と同様に各スイッチを切り替える。この結果、それまで選択していた行の液晶層に蓄えられていた電荷は電圧Ｖ１の出力端に放電され、電荷量は（Ｖ５＋Ｖ１）・Ｃｒ／２からＶ１・Ｃｒに変化する。選択する行の液晶層は、電荷（Ｖ５＋Ｖ１）・Ｃｒ／２を蓄積した状態から充電され、Ｖ５・Ｃｒの電荷を蓄える。そして、選択する走査電極の電位はＶ５になる。
【００７９】
ここでは、各信号電極の電位をＶ０に保つ場合を例に説明しているが、正極性駆動を行う間、信号電極ドライバ５３は、各選択期間で選択行の画素のうち点灯させるべき画素が存在する信号電極の電位をＶ０に設定し、その画素にＶ５−Ｖ０の電圧を印加する。また、点灯させるべき画素が存在しない信号電極の電位をＶ２に設定し、その画素にＶ５−Ｖ２の電圧を印加する。
【００８０】
コントローラ２２は、走査電極ドライバ５２に最終行の走査電極を選択させるときに、再度ＦＬＭを出力し、ＦＲをハイレベルからローレベルに切り替える。そして、最終行の選択期間においても、コントローラ２２は、ＣＬを出力して期間Ｔ１が経過すると一定期間ＳＨＡＲＥをハイレベルにする。しかし、次の選択期間では正極性駆動を維持せずに負極性駆動を開始するので、走査電極ドライバ５２は、選択している最終行の走査電極に対応するスイッチは第一の配線６１に接続したままにする。また、次に選択する第一行の走査電極に対応するスイッチも第三の配線６３に接続したままにする。この場合、ＳＨＡＲＥがハイレベルになっても、最終行の液晶層（最終行の走査電極と各信号電極との間の液晶層）と第一行の液晶層との間で電荷は移動しない。
【００８１】
負極性駆動を開始した場合、走査電極ドライバ５２は、ＣＬが入力されると選択行に対応するスイッチを第四の配線６４に接続し、他のスイッチを第二の配線６２に設定する。この結果、選択行の走査電極は電位がＶ０に設定される。また、ここでは、各信号電極の電位がＶ５に保たれる場合を例に説明する。この場合、選択行の走査電極と各信号電極の間の液晶層には（Ｖ０−Ｖ５）・Ｃｒの電荷が蓄えられる。また、他の走査電極の電位はＶ４に設定される。他の走査電極と各信号電極との間の液晶層に蓄えられる電荷は（Ｖ４−Ｖ５）・Ｃｒである。正極性駆動時と同様に、コントローラ２２は、ＣＬを出力して時間Ｔ１が経過すると、ＳＨＡＲＥをハイレベルにする。走査電極ドライバ５２は、ＳＨＡＲＥがハイレベルになると、選択している行および次に選択する行の走査電極に対応するスイッチを第五の配線６５に接続する。すると、次に選択する行の液晶層は、選択している行の液晶層に蓄積されていた電荷によって充電される。そして、二つの行の液晶層にはそれぞれ（Ｖ０＋Ｖ４−２・Ｖ５）・Ｃｒ／２の電荷が蓄積される。この二つの行の走査電極電位はともに（Ｖ４＋Ｖ０）／２になる。
【００８２】
次の行を選択するときには、走査電極ドライバ５２は、選択していた行に対応するスイッチを第五の配線６５から第二の配線６２に切り替え、選択する行に対応するスイッチを第五の配線６５から第四の配線６４に切り替える。この結果、それまで選択していた行の液晶層の電荷は（Ｖ０＋Ｖ４−２・Ｖ５）・Ｃｒ／２から（Ｖ４−Ｖ５）・Ｃｒに変化し、選択していた行の電位はＶ４になる。また、選択する行の液晶層の電荷は（Ｖ０＋Ｖ４−２・Ｖ５）・Ｃｒ／２から（Ｖ０−Ｖ５）・Ｃｒに変化し、選択行の走査電極電位はＶ０になる。
【００８３】
ただし、次の選択期間が正極性駆動となる場合、走査電極ドライバ５２は、ＳＨＡＲＥがハイレベルになっても、選択行の走査電極に対応するスイッチを第四の配線６４に接続したままにし、また、次に選択する走査電極に対応するスイッチも第二の配線６２に接続したままにする。この場合、ＳＨＡＲＥがハイレベルになっても電荷の移動はない。
【００８４】
負極性駆動を行う間、信号電極ドライバ５３は、各選択期間で選択行の画素のうち点灯させるべき画素が存在する信号電極の電位をＶ５に設定し、その画素にＶ０−Ｖ５の電圧を印加する。また、点灯させるべき画素が存在しない信号電極の電位をＶ３に設定し、その画素にＶ０−Ｖ３の電圧を印加する。
【００８５】
第三の実施の形態に示す駆動方法によれば、選択行切替時に電源回路からの充電量や電源回路への放電量を減少させることができ、液晶表示装置を駆動する際の消費電力を減少させることができる。
【００８６】
ここでは、次の選択期間で正極性駆動あるいは負極性駆動が維持されない場合には、ＳＨＡＲＥがハイレベルになっても、二つの走査電極を第五の配線６５で短絡させない場合を示した。正極性駆動あるいは負極性駆動が維持されない場合であっても、ＳＨＡＲＥがハイレベルになったときに二つの走査電極を第五の配線６５で短絡させてもよい。
【００８７】
第三の実施の形態では、走査電極を短絡させるための配線として第五の配線６５のみを用いる場合を示したが、第一の実施の形態と同様に、正極性駆動時に走査電極を短絡させるための配線と、負極性駆動時に走査電極を短絡させるための配線とを設けてもよい。
【００８８】
［実施の形態４］次に、第四の実施の形態について説明する。第四の実施の形態は、第三の実施の形態と同様にＩＡＰＴを採用する。第四の実施の形態の駆動方法が適用される液晶表示装置の駆動装置は、第三の実施の形態の場合と同様である。ただし、走査電極ドライバ５２の構成が第三の実施の形態とは異なる。図９は、第四の実施の形態に適用される走査電極ドライバ５２の構成例を示す説明図である。走査電極ドライバ５２は、電圧Ｖ５の出力端から電圧を供給される第一の配線７１と、電圧Ｖ４の出力端から電圧を供給される第二の配線７２と、電圧Ｖ１の出力端から電圧を供給される第三の配線７３と、電圧Ｖ０の出力端から電圧を供給される第四の配線７４とを備える。第三の実施の形態とは異なり、第五の配線は備えない。また、第一の配線７１と第四の配線７４には、それぞれスイッチ７５，７６が設けられる。スイッチ７５，７６は二点切替スイッチであり、一方の端子は、電圧Ｖ５の入力端または電圧Ｖ０の入力端に接続される。電圧の入力端に接続されていない方の端子を、ＳＨＡＲＥ用端子と記す。すなわち、スイッチ７５，７６は、それぞれ電圧Ｖ５の入力端または電圧Ｖ０の入力端に接続するか、ＳＨＡＲＥ用端子に接続するかを選択できるようになっている。図９では、ＳＨＡＲＥ用端子にコンデンサを接続した場合を示すが、コンデンサを接続せず、開放としてもよい。ここではＳＨＡＲＥ用端子を開放とした場合について説明する。各配線の切替は、各走査電極と一対一に対応するスイッチ７９〜８１等によって行う。図９では、走査電極に対応するスイッチとして三個のスイッチを示すが、走査電極ドライバ５２は、走査電極と同数のスイッチを備える。
【００８９】
走査電極ドライバ５２は、正極性駆動と負極性駆動のいずれの場合であっても、ＳＨＡＲＥがハイレベルであるときには、第一の配線７１のスイッチ７５および第四の配線７４のスイッチ７６をそれぞれＳＨＡＲＥ用端子側に接続する。また、ＳＨＡＲＥがローレベルであるときには、この二つのスイッチ７５，７６を、それぞれ電圧Ｖ５，Ｖ０の入力端側に接続する。
【００９０】
正極性駆動時において走査電極ドライバ５２は、選択行に対応するスイッチを第一の配線７１に接続し、選択する走査電極の電位をＶ５に設定する。また、非選択行に対応するスイッチを第三の配線７３に接続し、非選択行の走査電極の電位をＶ１に設定する。負極性駆動時において走査電極ドライバ５２は、選択行に対応するスイッチを第四の配線７４に接続し、選択する走査電極の電位をＶ０に設定する。また、非選択行に対応するスイッチを第二の配線７２に接続し、非選択行の走査電極の電位をＶ４に設定する。
【００９１】
走査電極ドライバ５２は、選択期間の最後にＳＨＡＲＥがハイレベルになっている間、次の選択期間において正極性駆動とすべき場合には次に選択すべき走査電極に対応するスイッチを第一の配線７１に接続する。次の選択期間において負極性駆動とすべき場合には次に選択すべき走査電極に対応するスイッチを第四の配線７４に接続する。また、ＳＨＡＲＥがハイレベルの間、スイッチ７５，７６をＳＨＡＲＥ用端子側に接続する。従って、正極性駆動時において、次の選択期間でも正極性駆動を維持する場合には、選択している走査電極と、次に選択する走査電極とを第一の配線７１で短絡させることになる。また、負極性駆動時において、次の選択期間でも負極性駆動を維持する場合には、選択している走査電極と、次に選択する走査電極とを第四の配線７４で短絡させることになる。次の選択期間における極性はＦＲによって判断できる。
【００９２】
第四の実施の形態において、コントローラ２２が信号を出力するタイミングは、図８に示す場合と同様である。この結果、各走査電極の駆動波形も、図８に示す駆動波形と同様になる。正極性駆動を行う場合、走査電極ドライバ５２は、ＣＬが入力されると選択行に対応するスイッチを第一の配線７１に接続し、他のスイッチを第三の配線７３に設定する。この結果、選択行の走査電極の電位はＶ５に設定される。このとき、選択行の走査電極と各信号電極との間の液晶層にはＶ５・Ｃｒの電荷が蓄えられる。ここでは、各信号電極の電位がＶ０であり、Ｖ０＝０Ｖである場合を例に説明する。また、他の走査電極の電位はＶ１に設定される。他の走査電極と各信号電極との間の液晶層に蓄えられる電荷はＶ１・Ｃｒである。第三の実施の形態と同様に、コントローラ２２は、ＣＬを出力して時間Ｔ１が経過すると、ＳＨＡＲＥをハイレベルにする。走査電極ドライバ５２は、ＳＨＡＲＥがハイレベルになると、選択している行および次に選択する行の走査電極に対応するスイッチを第一の配線７１に接続する。また、第一の配線７１のスイッチ７５および第四の配線のスイッチ７６をＳＨＡＲＥ用端子側に接続する。すると、次に選択する行の液晶層は、選択している行の液晶層に蓄積されていた電荷によって充電され、二つの行の液晶層には、それぞれ（Ｖ５＋Ｖ１）・Ｃｒ／２の電荷が蓄積される。この二つの行の走査電極電位はともに（Ｖ５＋Ｖ１）／２になる。
【００９３】
ＣＬが入力され、次の行を選択するときには、走査電極ドライバ５２は、選択していた行に対応するスイッチを第一の配線７１から第三の配線７３に切り替え、選択する行に対応するスイッチを第一の配線７１に接続したままにする。同時に、第一の配線７１のスイッチ７５および第四の配線７４のスイッチ７６を、それぞれ電圧Ｖ５，Ｖ０の入力端側に接続する。この結果、それまで選択していた行の液晶層に蓄積された電荷が放電され、電荷量は（Ｖ５＋Ｖ１）・Ｃｒ／２からＶ１・Ｃｒ／２に変化する。また、選択する行の液晶層は、電荷（Ｖ５＋Ｖ１）・Ｃｒ／２を蓄積した状態から充電され、電荷Ｖ５・Ｃｒを蓄える。選択する走査電極の電位はＶ５になる。
【００９４】
ただし、次の選択期間では正極性駆動を維持しない場合、ＳＨＡＲＥがハイレベルになると、走査電極ドライバ５２は、次に選択する走査電極に対応するスイッチを第四の配線７４に接続する。この場合、選択している走査電極と次に選択する走査電極との間で電荷の移動はない。
【００９５】
負極性駆動を行う場合、走査電極ドライバ５２は、ＣＬが入力されると選択行に対応するスイッチを第四の配線７４に接続し、他のスイッチを第二の配線７２に設定する。この結果、選択行の走査電極は電位がＶ０に設定される。また、ここでは、各信号電極の電位がＶ５に保たれる場合を例に説明する。この場合、選択行の走査電極と各信号電極の間の液晶層には（Ｖ０−Ｖ５）・Ｃｒの電荷が蓄えられる。また、他の走査電極の電位はＶ４に設定される。他の走査電極と各信号電極との間の液晶層に蓄えられる電荷は（Ｖ４−Ｖ５）・Ｃｒである。コントローラ２２は、ＣＬを出力して時間Ｔ１が経過すると、ＳＨＡＲＥをハイレベルにする。走査電極ドライバ５２は、ＳＨＡＲＥがハイレベルになると、選択している行および次に選択する行の走査電極に対応するスイッチを第四の配線７４に接続する。また、スイッチ７５，７６をＳＨＡＲＥ用端子側に切り替える。すると、次に選択する行の液晶層は、選択している行の液晶層に蓄積されていた電荷によって充電され、二つの行の液晶層には、それぞれ（Ｖ０＋Ｖ４−２・Ｖ５）・Ｃｒ／２の電荷が蓄積される。この二つの行の走査電極電位はともに（Ｖ０＋Ｖ４）／２になる。
【００９６】
ＣＬが入力され、次の行を選択するときには、走査電極ドライバ５２は、選択していた行に対応するスイッチを第四の配線７４から第二の配線７２に切り替え、選択する行に対応するスイッチを第四の配線７４に接続したままにする。同時に、第一の配線７１のスイッチ７５および第四の配線７４のスイッチ７６を、それぞれ電圧Ｖ５，Ｖ０の入力端側に切り替える。すると、選択する行の液晶層に蓄積されていた電荷は放電される。この結果、選択行の液晶層の電荷量は（Ｖ０＋Ｖ４−２・Ｖ５）・Ｃｒ／２から（Ｖ０−Ｖ５）・Ｃｒに変化し、選択行の走査電極電位はＶ０になる。また、それまで選択していた行の液晶層の電荷は（Ｖ０＋Ｖ４−２・Ｖ５）・Ｃｒ／２から（Ｖ４−Ｖ５）・Ｃｒに変化し、選択していた行の電位はＶ４になる。
【００９７】
ただし、次の選択期間では負極性駆動を維持しない場合、ＳＨＡＲＥがハイレベルになると、走査電極ドライバ５２は、次に選択する走査電極に対応するスイッチを第一の配線７１に接続する。この場合、選択している走査電極と次に選択する走査電極との間で電荷の移動はない。
【００９８】
第四の実施の形態に示す駆動方法によれば、第三の実施の形態と同様に、液晶表示装置を駆動する際の消費電力を減少させることができる。
【００９９】
図９に示したように、ＳＨＡＲＥ用端子側にコンデンサを接続することも可能である。この場合、走査電極同士を短絡させると同時に、短絡させる各走査電極をＳＨＡＲＥ用コンデンサにも短絡させることになる。
【０１００】
［実施の形態５］次に、第五の実施の形態について説明する。図１０は、第五の実施の形態の駆動方法が適用される液晶表示装置の駆動装置の例を示すブロック図である。第五の実施の形態では、ＭＬＡを採用する。液晶セル１は、第一の実施の形態に示す液晶セルと同様である。
【０１０１】
走査電極ドライバ１０２および信号電極ドライバ１０３は、それぞれ複数の電圧出力端子を有する。液晶セル１の個々の走査電極は、走査電極ドライバ１０２の個々の電圧出力端子と一対一に接続される。液晶セル１の個々の信号電極は、信号電極ドライバ１０３の個々の電圧出力端子と一対一に接続される。
【０１０２】
走査電極ドライバ１０２は、同時に複数本の走査電極を選択する。同時に選択される走査電極のグループをサブグループという。走査電極ドライバ１０２は、サブグループを切り替えながら各走査電極を選択して液晶セル１を駆動する。走査電極ドライバ１０２は、サブグループ内の各走査電極の電位を定めるＬ行Ｋ列の選択行列の情報を保持する。Ｌは同時に選択する走査電極の本数である。以下、Ｌ＝４の場合を例に説明する。図１１は選択行列の例を示す。選択行列の各行はサブグループの各ラインに対応する。例えば、サブグループの第１番目のラインに対して、選択行列の第１行目の要素が適用される。また、コントローラ１２２は、選択行列の何列目の要素を適用すべきかを示す信号を走査電極ドライバ１０２に出力する。以下、この信号を「ＲＯＷ（１：０）」と表す。例えば、ＲＯＷ（１：０）が第２列を指定する場合、サブグループの第１番目から第４番目の走査電極に対して、それぞれ第２列の要素「１」、「−１」、「１」、「−１」が適用される。以下の説明では、走査電極ドライバ１０２は図１１に示す選択行列の情報を保持しているものとする。
【０１０３】
コントローラ１２２は、個々のサブグループに対して選択行列の各列を均等に指定するようにＲＯＷ（１：０）を出力する。例えば、各サブグループについて１回ずつ選択して再び第１番目のサブフレームから選択をやり直すときに、指定する列を切り替える。
【０１０４】
図１１に示す選択行列において、「１」は、正極性駆動時に電位を所定の電位Ｖｒに設定し、負極性駆動時に電位を−Ｖｒに設定することを意味する。また、「−１」は、正極性駆動時に電位を−Ｖｒに設定し、負極性駆動時に電位をＶｒに設定することを意味する。コントローラ１２２は、次の選択期間において正極性駆動にすべきか負極性駆動にすべきかを指示する信号（ＦＲ）と、選択行列の列を指定するＲＯＷ（１：０）とを走査電極ドライバ１０２に出力する。ＲＯＷ（１：０）は、ＦＲと同様に、次の選択期間において適用すべき列を指定する。走査電極ドライバ１０２は、選択するサブグループ内の走査電極に設定すべき電位をＦＲおよびＲＯＷ（１：０）に基づいて決定する。なお、コントローラ１２２によるＦＲの切り替え周期は選択期間以上である。また、走査電極ドライバ１０２は、選択していないサブグループの走査電極を所定の電圧ＶＭに設定する。ここでは、ＶＭ＝０Ｖとする。
【０１０５】
また、コントローラ１２２は、第１番目のサブグループから選択をやり直すことを指示する信号（以下、ＰＭと記す。）と、サブグループの切り替えを指示するクロック信号ＣＬを走査電極ドライバ１０２に出力する。走査電極ドライバ１０２は、ＣＬが入力されると選択するサブグループを切り替える。すなわち、ＣＬが入力されてから、次のＣＬが入力されるまでの期間が、一つのサブグループの選択期間になる。また、走査電極ドライバ１０２は、ＣＬの入力回数をカウントするカウンタを備え、ＣＬが入力される度にカウンタ値を１増加させる。ただし、ＰＭが入力された場合にはカウンタ値を初期化する。次に選択すべき各走査電極（サブグループ）は、カウンタ値から特定される。
【０１０６】
また、走査電極ドライバ１０２は、各サブグループの選択期間の最後の一定期間に、選択している複数の走査電極のうち電位をＶｒ（第一の所定の電位）に設定している走査電極と、次に選択する複数の走査電極のうち電位をＶｒに設定すべき走査電極とを短絡させる。同時に、選択している複数の走査電極のうち電位を−Ｖｒ（第二の所定の電位）に設定している走査電極と、次に選択する複数の走査電極のうち電位を−Ｖｒに設定すべき走査電極とを短絡させる。コントローラ１２２は短絡を制御する信号（ＳＨＡＲＥ）を走査電極ドライバ１０２に出力する。例えば、ＳＨＡＲＥがハイレベルの場合に短絡させることを指示し、ＳＨＡＲＥがローレベルの場合に短絡させないことを指示する
【０１０７】
メモリ１２１は、各走査電極に対応する表示データを記憶する記憶領域と、選択される複数行分の表示データ（Ｄａｔａ）をＭＬＡ演算回路１０４に出力する出力部（図示せず。）とを備える。コントローラ１２２は、メモリ１２１が出力すべき複数行分のデータのアドレスを指定するメモリ制御信号をメモリ１２１に出力する。メモリ１２１が備える出力部は、メモリ制御信号によって指定されるアドレスに記憶する表示データをＭＬＡ演算回路１０４への出力データ領域にコピーする。
【０１０８】
ＭＬＡ演算回路１０４は、予め選択行列を保持し、信号電極ドライバ１０３が各信号電極に設定すべき電圧のパターンを選択行列によって計算する。コントローラ１２２は、ＲＯＷ（１：０）、ＦＲおよびＣＬをＭＬＡ演算回路１０４に出力する。ＭＬＡ演算回路１０４は、ＣＬが入力されるタイミングで、メモリ１２１の出力データ領域から複数行分の表示データを読み込み、その表示データと、ＲＯＷ（１：０）およびＦＲに基づいて、各信号電極に設定すべき電圧のパターンを計算する。ＭＬＡ演算回路１０４は演算結果を信号電極ドライバ１０３に出力する。信号電極ドライバ１０３は、各選択期間において、この演算結果に応じて各信号電極の電位を設定する。
【０１０９】
電源回路１２３は、図２に示す場合と同様に、電圧Ｖｒ、ＶＭ（＝０Ｖ）、−Ｖｒに対応する電圧出力端から走査電極ドライバ１０２に各電圧を供給する。また、一般にＭＬＡでは、同時選択されるライン数をＬとすると、信号電極の電位レベルの数はＬ＋１になる。４行同時選択の場合、電源回路１２３は、Ｖ１０〜Ｖ１４の５種類の電圧を信号電極ドライバ１０３に供給する。
【０１１０】
走査電極ドライバ１０２の構成は、図３に示す構成と同様である。ただし、走査電極ドライバ１０２には、ＦＲ，ＰＭ，ＣＬ，ＲＯＷ（１：０）およびＳＨＡＲＥが入力される。以下、図３を用いて走査電極ドライバ１０２の動作を説明する。走査電極ドライバ１０２は、ＰＭが入力されると、ＰＭに続いて入力されるＣＬに応じてサブグループを順次切り替える。また、ＰＭが入力された後、ＣＬの入力回数をカウントする。
【０１１１】
走査電極ドライバ１０２は、ＣＬが入力されると、コントローラ１２２から予め入力されたＦＲおよびＲＯＷ（１：０）に基づいて、同時に選択する各走査電極の電位を設定する。例えば、予め入力されたＦＲがハイレベル（正極性）であり、ＲＯＷ（１：０）が第２列を指定しているとする。この場合、走査電極ドライバ１０２は、図１１に示す選択行列の第２列の要素「１」、「−１」、「１」、「−１」に基づいて、サブグループの第１行から第４行までの各走査電極の電位をＶｒ，−Ｖｒ，Ｖｒ，−Ｖｒに設定する。すなわち、サブグループの第１行および第３行に対応するスイッチを第一の配線１１に接続し、サブグループの第２行および第４行に対応するスイッチを第三の配線１３に接続する。この結果、選択したサブグループの第１行の液晶層および第３行の液晶層にはＶｒ・Ｃｒの電荷が蓄積され、第１行および第３行の走査電極電位はＶｒになる。また、第２行の液晶層および第４行の液晶層には−Ｖｒ・Ｃｒの電荷が蓄積され、第２行および第四行の走査電極電位は−Ｖｒになる。第Ｘ行の液晶層とは、第Ｘ行の走査電極と各信号電極との間の液晶層を示す。また、ここでは各信号電極に設定される電位の平均値が０Ｖである場合を例に説明する。なお、選択するサブグループはＣＬの入力回数を示すカウンタ値から特定される。
【０１１２】
また、走査電極ドライバ１０２は、ＣＬが入力された後、非選択行に対応する各スイッチを第二の配線１２に接続する。すると、非選択行の液晶層の電荷が放電され、非選択行の走査電極電位はＶＭ（＝０Ｖ）になる。
【０１１３】
コントローラ１２２は、ＣＬを出力してから時間Ｔ１が経過するまでＳＨＡＲＥをローレベルにして出力する。そして、ＣＬを出力してから時間Ｔ１が経過するとＳＨＡＲＥをハイレベルに切り替える。走査電極ドライバ１０２は、ＳＨＡＲＥがハイレベルになると、コントローラ１２２から入力されるＦＲと、ＲＯＷ（１：０）が指定する列の要素とに基づいて、次に選択するサブグループの各走査電極に設定すべき電位を決定する。例えば、入力されるＦＲはハイレベルのままであり、ＲＯＷ（１：０）も第２列の指定を維持しているとする。この場合、次の選択期間では、選択するサブグループの第１行および第３行の電位はＶｒとし、第２行および第４行の電位は−Ｖｒとする。
【０１１４】
そして、走査電極ドライバ１０２は、現在選択している走査電極のうち電位をＶｒに設定している各走査電極と、次の選択期間で電位をＶｒに設定すべき各走査電極とを、第四の配線１４を介して短絡させる。ここでは、選択しているサブグループの第１行および第３行に対応するスイッチと、次の選択期間に選択するサブグループの第１行および第３行に対応するスイッチを第四の配線１４に接続する。この結果、Ｖｒ・Ｃｒの電荷を蓄積している液晶層から、電位がＶＭであった行の液晶層に電荷が供給され、短絡させたそれぞれの走査電極と各信号電極との間の液晶層にはいずれもＶｒ・Ｃｒ／２の電荷が蓄積される。短絡させた各走査電極の電位はＶｒ／２になる。
【０１１５】
同時に走査電極ドライバ１０２は、現在選択している走査電極のうち電位を−Ｖｒに設定している各走査電極と、次の選択期間で電位を−Ｖｒに設定すべき各走査電極とを、第五の配線１５を介して短絡させる。ここでは、選択しているサブグループの第２行および第４行に対応するスイッチと、次の選択期間に選択するサブグループの第２行および第４行に対応するスイッチを第五の配線１５に接続する。この結果、−Ｖｒ・Ｃｒの電荷を蓄積している液晶層から、電位がＶＭ（＝０Ｖ）であった行の液晶層に電荷が供給され、短絡させたそれぞれの走査電極と各信号電極との間の液晶層にはいずれも−Ｖｒ・Ｃｒ／２の電荷が蓄積される。短絡させた各走査電極の電位は−Ｖｒ／２になる。
【０１１６】
なお、各走査電極を短絡させる際、次の選択期間で選択すべきサブグループを特定する必要がある。このサブグループはＣＬ入力回数のカウンタ値から特定される。
【０１１７】
続いて、コントローラ１２２からＣＬが入力され、ＳＨＡＲＥがローレベルになると、走査電極ドライバ１０２は選択するサブグループを切り替える。そして、既に入力されたＦＲおよびＲＯＷ（１：０）に基づいて、選択するサブグループの各行の電位をＶｒまたは−Ｖｒに決定する。電位をＶｒにすべき行（第１行および第３行）の液晶層には、前の選択期間の最後に走査電極を短絡した結果、Ｖｒ・Ｃｒ／２の電荷が蓄積されている。第１行および第３行の走査電極は、この状態から電位Ｖｒに設定される。同様に、電位を−Ｖｒにすべき行（第２行および第４行）の液晶層には、前の選択期間の最後に走査電極を短絡した結果、（−Ｖｒ・Ｃｒ）／２の電荷が蓄積されている。第２行および第４行の走査電極は、この状態から電位−Ｖｒに設定される。
【０１１８】
また、前に選択していたそれぞれの走査電極と各信号電極との間の液晶層は電荷（Ｖｒ・Ｃｒ／２または−Ｖｒ・Ｃｒ／２）を蓄積した状態から放電する。その走査電極の電位はＶＭになる。
【０１１９】
以降、同様にサブグループを切り替えながら各走査電極を選択する。なお、他の実施の形態と同様に、ＳＨＡＲＥをハイレベルとする期間は、少なくとも一本の走査電極の時定数の１／２以上に設定する。時間Ｔ１は、選択期間からＳＨＡＲＥをハイレベルにする期間を差し引いて定める。
【０１２０】
第五の実施の形態に示す駆動方法によれば、選択期間の最後に、選択しているサブグループと次に選択するサブグループの走査電極同士を短絡させ、選択しているサブグループの電荷の一部を次に選択するサブグループに供給する。従って、サブグループ切替時に、それまで選択していた走査電極からの放電量と、次に選択する走査電極への充電量とを減少させることができる。その結果、液晶表示装置を駆動する際の消費電力を減少させることができる。
【０１２１】
第５の形態において、短絡させた走査電極の電位はＶｒ／２になるとは限らない。例えば、正極性駆動時に、図１１に示す選択行列の第１列が適用されているとする。このとき、同時選択する４本の走査電極の電位はいずれもＶｒになる。第２列が適用される次の選択期間では、電位をＶｒにすべき走査電極は２本である。従って、この６本を短絡させると、各走査電極の電位は２・Ｖｒ／３になる。
【０１２２】
［実施の形態６］次に、第六の実施の形態について説明する。第六の実施の形態は、第五の実施の形態と同様にＭＬＡを採用する。第六の実施の形態の駆動方法が適用される液晶表示装置の駆動装置は、第五の実施の形態の場合と同様である。ただし、走査電極ドライバ１０２は、図５に示す場合と同様の構成をとる。ただし、スイッチ３４，３５のＳＨＡＲＥ用端子にコンデンサを接続せず、開放としてもよい。以下、ＳＨＡＲＥ用端子にコンデンサを接続しない場合を例に走査電極ドライバ１０２の動作を説明する。なお、信号電極ドライバ１０３は、各選択期間において、ＭＬＡ演算回路１０４の結果に応じて各信号電極の電位を設定する。
【０１２３】
走査電極ドライバ１０２は、ＣＬが入力されると、第五に実施の形態と同様に、選択するサブグループの各走査電極の電位をＶｒまたは−Ｖｒのいずれかに設定する。このとき、電位をＶｒにすべき走査電極に対応するスイッチを第一の配線３１に接続し、電位を−Ｖｒにすべき走査電極に対応するスイッチを第三の配線３３に接続する。また、ＳＨＡＲＥがローレベルとなっている間、スイッチ３４，３５を、それぞれ電圧Ｖｒ，−Ｖｒの入力端側に接続する。この結果、電位をＶｒにすべきそれぞれの走査電極と各信号電極との間の液晶層にはＶｒ・Ｃｒの電荷が蓄積され、その各走査電極の電位はＶｒになる。一方、電位を−Ｖｒにすべきそれぞれの走査電極と各信号電極との間の液晶層には−Ｖｒ・Ｃｒの電荷が蓄積され、その各走査電極の電位は−Ｖｒになる。
【０１２４】
また、走査電極ドライバ１０２は、ＣＬが入力された後、非選択行に対応する各スイッチを第二の配線３２に接続する。すると、非選択行の液晶層の電荷が放電され、非選択行の走査電極電位はＶＭ（＝０Ｖ）になる。
【０１２５】
コントローラ１２２は、ＣＬを出力してから時間Ｔ１経過後、ＳＨＡＲＥをハイレベルにする。ＳＨＡＲＥがハイレベルになると、走査電極ドライバ１０２は、現在選択している走査電極のうち電位をＶｒに設定している各走査電極と、次の選択期間で電位をＶｒに設定すべき各走査電極に対応するスイッチを、第一の配線３１に接続する。同時に、第一の配線３１のスイッチ３４をＳＨＡＲＥ用端子側に接続する。この結果、現在走査電極の電位をＶｒに設定している各行の液晶層から、次の選択期間で走査電極電位をＶｒに設定すべき各行の液晶層に電荷が供給される。
【０１２６】
同様に走査電極ドライバ１０２は、ＳＨＡＲＥがハイレベルになっているときに、現在選択している走査電極のうち電位を−Ｖｒに設定している各走査電極と、次の選択期間で電位を−Ｖｒに設定すべき各走査電極に対応するスイッチを、第三の配線３３に接続する。同時に、第三の配線３３のスイッチ３５をＳＨＡＲＥ用端子側に接続する。この結果、現在走査電極の電位を−Ｖｒに設定している各行の液晶層から、次の選択期間で走査電極電位を−Ｖｒに設定すべき各行の液晶層に電荷が供給される。なお、次の選択期間で選択すべき各走査電極は、第五の実施の形態と同様に特定する。
【０１２７】
再びＣＬが入力されると、走査電極ドライバ１０２は、同時選択する各走査電極の電位をＶｒまたは−Ｖｒに設定する。新たに選択される各走査電極は、短絡により液晶層に電荷が蓄積された状態から電位が設定される。また、前の選択期間に選択していた各走査電極は、短絡時の状態から、電位がＶＭに設定される。
【０１２８】
第六の実施の形態に示す駆動方法によれば、第五の実施の形態と同様に、液晶表示装置を駆動する際の消費電力を減少させることができる。
【０１２９】
図５に示したように、ＳＨＡＲＥ用端子側にコンデンサを接続することも可能である。この場合、走査電極同士を短絡させると同時に、短絡させる各走査電極をＳＨＡＲＥ用コンデンサにも短絡させることになる。
【０１３０】
第一の実施の形態から第六の実施の形態では、選択期間の最後に走査電極同士を短絡させる場合を示したが、走査電極を短絡させる期間を選択期間の最初に設けてもよい。また、選択期間の最初と最後に設けてもよい。図１２は、短絡させる期間を選択期間Ｔｓの最初に設ける場合の信号出力タイミングを示す。ここでは、液晶表示装置の駆動装置の構成は図１に示す構成であり、ＡＰＴを採用する場合を例に説明する。走査電極ドライバ２は、図３に示す構成でも、図５に示す構成でもよいが、ここでは図５に示す構成である場合を例に説明する。
【０１３１】
コントローラ２２は、選択期間Ｔｓの最初の一定期間ＳＨＡＲＥをハイレベルにする。すなわち、ＣＬを出力してからの一定期間ＳＨＡＲＥをハイレベルにする。走査電極ドライバ２は、ＳＨＡＲＥがハイレベルの間、選択する走査電極と直前の選択期間に選択していた走査電極とを短絡させる。その結果、直前に選択していた走査電極に蓄積された電荷が、選択する走査電極に供給される。その後、コントローラ２２は、選択期間終了まで、ＳＨＡＲＥをローレベルにする。この間、走査電極ドライバ２は、選択する走査電極の電位をＶｒ（または−Ｖｒ）に設定し、他の走査電極の電位をＶＭに設定する。選択行の液晶層は選択期間Ｔｓの最初に電荷が供給されたときの状態から充電され、選択行の走査電極電位はＶｒ（または−Ｖｒ）になる。信号電極ドライバ３は、選択期間Ｔｓの間、選択行の表示データに応じて各信号電極の電位を設定する。なお、ＳＨＡＲＥをハイレベルにする期間は、少なくとも一本の走査電極の時定数の１／２以上に設定する。
【０１３２】
走査電極ドライバ２は、選択期間の最初において、その選択期間の極性が直前の選択期間の極性と同じである場合に（すなわち直前の選択期間の極性が維持されている場合に）、選択する走査電極と直前の選択期間に選択していた走査電極とを短絡させる。二つの走査電極は、スイッチ３４，３５をＳＨＡＲＥ用端子側に接続し、第一の配線３１（または第三の配線３３）によって短絡させればよい。走査電極ドライバ２は、選択期間の最初にＳＨＡＲＥがハイレベルになっている間、直前の選択期間において正極性駆動を行っていたならば、直前の選択期間に選択していた走査電極に対応するスイッチを第一の配線３１に接続する。直前の選択期間において負極性駆動を行っていたならば、直前の選択期間に選択していた走査電極に対応するスイッチを第三の配線３３に接続する。なお、正極性駆動と負極性駆動の切り替え周期は、選択期間以上であるとものとする。
【０１３３】
ここでは、ＡＰＴを採用する場合を例に説明したが、ＩＡＰＴやＭＬＡを採用してもよい。ＭＬＡを採用する場合には、選択するサブグループの走査電極と、直前の選択期間に選択していたサブグループの走査電極とを短絡させる。このとき、電位をＶｒ（第一の所定の電位）に設定すべき走査電極と、直前の選択期間で電位をＶｒに設定していた走査電極とを短絡させる。また、電位を−Ｖｒ（第二の所定の電位）に設定すべき走査電極と、直前の選択期間で電位を−Ｖｒに設定していた走査電極とを短絡させる。
【０１３４】
図１３は、走査電極を短絡させる期間を選択期間の最初と最後に設ける場合の信号出力タイミングを示す。ここでは、液晶表示装置の駆動装置の構成は図１に示す構成であり、ＡＰＴを採用する場合を例に説明する。走査電極ドライバ２は、図３に示す構成でも、図５に示す構成でもよいが、ここでは図５に示す構成である場合を例に説明する。
【０１３５】
コントローラ２２は、ＣＬを出力する一定期間前からＳＨＡＲＥをハイレベルにする。すなわち、選択期間の最後の一定期間ＳＨＡＲＥをハイレベルにする。走査電極ドライバ２は、ＳＨＡＲＥがハイレベルの間、選択する走査電極と次の選択期間に選択する走査電極とを短絡させる。続いて、コントローラ２２は、走査電極ドライバ２にＣＬを出力して、選択行を切り替えさせる。また、ＣＬを出力してからの一定期間の間もＳＨＡＲＥをハイレベルにする。走査電極ドライバ２は、ＣＬが入力されると選択する走査電極を切り替え、その後ＳＨＡＲＥがハイレベルの間、選択する走査電極と直前の選択期間に選択していた走査電極とを短絡させる。このとき、直前の選択期間の最後に走査電極を短絡させた状態は、ＣＬ出力後も変わらず維持される。このように短絡させた結果、直前に選択していた行の液晶層に蓄積された電荷が、選択する行の液晶層に供給される。
【０１３６】
その後、コントローラ２２は、選択期間終了時の一定期間前まで、ＳＨＡＲＥをローレベルにする。この間、走査電極ドライバ２は、選択する走査電極の電位をＶｒ（または−Ｖｒ）に設定し、他の走査電極の電位をＶＭに設定する。選択行の液晶層は、電荷が供給されたときの状態から充電され、選択行の走査電極電位はＶｒ（または−Ｖｒ）になる。信号電極ドライバ３は、選択期間Ｔｓの間、選択行の表示データに応じて各信号電極の電位を設定する。なお、選択期間Ｔｓ内でＳＨＡＲＥをハイレベルにする期間の総和は、少なくとも一本の走査電極の時定数の１／２以上に設定する。
【０１３７】
走査電極ドライバ２は、選択期間の最後において、その選択期間の極性が次の選択期間で維持される場合に、選択する走査電極と次の選択期間に選択する走査電極とを短絡させる。選択期間の最後にＳＨＡＲＥがハイレベルになると、走査電極ドライバ２は、第一の配線３１のスイッチ３４および第二の配線３３のスイッチ３５をＳＨＡＲＥ用端子側に接続する。そして、次の選択期間において正極性駆動とすべき場合には次に選択すべき走査電極に対応するスイッチを第一の配線３１に接続する。次の選択期間において負極性駆動とすべき場合には次に選択すべき走査電極に対応するスイッチを第三の配線３３に接続する。ＣＬが入力され、新たな選択期間を開始した場合、走査電極ドライバ２は、新たな選択期間で直前の選択期間の極性が維持される場合に、選択する走査電極と直前の選択期間に選択していた走査電極とを短絡させる。選択期間の最初にＳＨＡＲＥがハイレベルとなる場合も、走査電極ドライバ２は、スイッチ３４，３５をＳＨＡＲＥ用端子側に接続する。そして、直前の選択期間において正極性駆動を行っていた場合は、直前の選択期間に選択していた走査電極に対応するスイッチを第一の配線３１に接続する。直前の選択期間において負極性駆動を行っていたならば、直前の選択期間に選択していた走査電極に対応するスイッチを第三の配線３３に接続する。なお、正極性駆動と負極性駆動の切り替え周期は、選択期間以上であるとものとする。
【０１３８】
ここでは、ＡＰＴを採用する場合を例に説明したが、ＩＡＰＴやＭＬＡを採用してもよい。ＭＬＡを採用する場合、走査電極ドライバは、選択期間の最後でＳＨＡＲＥがハイレベルになると、選択しているサブグループの走査電極と、次に選択するサブグループの走査電極とを短絡させる。このとき、電位をＶｒ（第一の所定の電位）に設定している走査電極と、次の選択期間で電位をＶｒに設定すべき走査電極とを短絡させる。また、電位を−Ｖｒ（第二の所定の電位）に設定している走査電極と、次の選択期間で電位を−Ｖｒに設定すべき走査電極とを短絡させる。ＣＬが出力され新たな選択期間が開始すると、走査電極ドライバは、選択するサブグループの走査電極と、直前の選択期間に選択していたサブグループの走査電極とを短絡させる。このとき、電位をＶｒに設定すべき走査電極と、直前の選択期間で電位をＶｒに設定していた走査電極とを短絡させる。また、電位を−Ｖｒに設定すべき走査電極と、直前の選択期間で電位を−Ｖｒに設定していた走査電極とを短絡させる。
【０１３９】
走査電極を短絡させる期間を選択期間の最初に設ける場合や、選択期間の最初と最後に設ける場合であっても、走査電極を短絡させることによって、電位の低い走査電極に電荷を供給することができる。従って、走査電極を短絡させる期間を選択期間の最後に設ける場合と同様に、消費電力を低減させることができる。
【０１４０】
ただし、走査電極を短絡させる期間は、選択期間の最後に設けることが好ましい。この理由を以下に説明する。図１４は、選択期間Ｔｓの最初に走査電極を短絡させる場合の駆動波形の例を示す。電位変化（電位の立ち上がり等）にはわずかながら時間がかかる。そのため、図１４に示すように、選択期間Ｔｓの最初には選択行の電位が立ち上がるまでの時間がかかり、また、前の選択期間に選択していた行の電位が下がるまでにも時間がかかる。この結果、選択行の表示が、直前に選択していた行にうっすらと現れてしまう。このような現象は、ゴーストと呼ばれ、一般の液晶表示装置にも見られる。しかし、図１４に示すような駆動波形では、選択期間Ｔｓの最初に、選択行と前の選択期間の選択行を短絡させるため、ゴーストが強く現れてしまう。
【０１４１】
一方、走査電極を短絡させる期間を選択期間Ｔｓの最後に設けるとする。この場合、選択期間Ｔｓの開始時において、選択行の走査電極は、短絡によって電荷が蓄積された状態から充電される。また、直前に選択していた走査電極は、短絡によって電荷が蓄積された状態から放電する。従って、選択期間開始時のゴーストの発生は図１４に示す場合よりも少ない。一方、選択期間Ｔｓの最後には、走査電極を短絡させて次に選択する走査電極の電位を上げることにより、選択行の表示が、次に選択する行にうっすら現れる。しかし、選択行の表示が、直前に選択していた行に集中して影響することはない。選択行の表示の影響は、選択期間開始時と選択期間終了時に、選択行の前後の行に分散して現れる。よって、図１４に示す場合よりも良好な表示品位が得られる。従って、走査電極を短絡させる期間は、選択期間Ｔｓの最後に設けることが好ましい。
【０１４２】
なお、走査電極を短絡させる期間（ＳＨＡＲＥをハイレベルにする期間）を、走査電極の時定数に比べて長く設定する場合には、図１３に示すように選択期間の最初と最後に走査電極を短絡させることが好ましい。
【０１４３】
次に、走査電極を短絡させるときの電位の安定化ついて説明する。第五の実施の形態において説明したように、第五の実施の形態では、走査電極同士を短絡させたときの走査電極の電位は一定になるとは限らない。走査電極同士を短絡させたときの電位は、短絡に用いる配線にコンデンサを接続させることによってほぼ一定に保つことができる。図１５は、コンデンサを備えた走査電極ドライバの例を示す。図１５に示す走査電極ドライバは、第四の配線１４および第五の配線１５にそれぞれコンデンサ９１，９２を接続している点以外は、図３に示す構成と同様である。図１５に示すように、短絡に用いる配線（第四の配線１４および第五の配線１５）にコンデンサ９１，９２を接続することによって、走査電極同士を短絡させたときの走査電極の電位をほぼ一定に保つことができる。コンデンサ９１，９２の静電容量は、一本の走査電極と各信号電極とがなすコンデンサの静電容量の１０倍以上とすることが好ましい。さらに好ましくは１００倍以上とする。
【０１４４】
第五の実施の形態だけでなく、第一の実施の形態および第三の実施の形態においても、短絡に用いる配線にコンデンサを接続してもよい。第一の実施の形態において、図１５に示すコンデンサ９１，９２を用いれば、正極性駆動と負極性駆動とを切り替えるタイミングにおいても、放電量や充電量を減少させることができる。
【０１４５】
また、第二、四、六の実施の形態においても、ＳＨＡＲＥ用端子にコンデンサを接続してもよい。第二、四、六の実施の形態において、図５，９に示すように、ＳＨＡＲＥ用端子にコンデンサを接続すれば、正極性駆動と負極性駆動とを切り替えるタイミングにおいても、放電量や充電量を減少させることができる。
【０１４６】
【発明の効果】
本発明によれば、液晶表示装置の選択行を切り替える際の放電量や充電量を減少させて、液晶表示装置の駆動における消費電力を減少させることができる。
【図面の簡単な説明】
【図１】液晶表示装置の駆動装置の例を示すブロック図。
【図２】電源回路の電圧出力端を示す説明図。
【図３】走査電極ドライバの構成例を示す説明図。
【図４】信号出力タイミングおよび駆動波形の例を示す説明図。
【図５】走査電極ドライバの構成例を示す説明図。
【図６】液晶表示装置の駆動装置の例を示すブロック図。
【図７】走査電極ドライバの構成例を示す説明図。
【図８】信号出力タイミングおよび駆動波形の例を示す説明図。
【図９】走査電極ドライバの構成例を示す説明図。
【図１０】液晶表示装置の駆動装置の例を示すブロック図。
【図１１】選択行列の例を示す説明図。
【図１２】短絡させる期間を選択期間の最初に設ける場合の信号出力タイミングを示す説明図。
【図１３】走査電極を短絡させる期間を選択期間の最初と最後に設ける場合の信号出力タイミングを示す説明図。
【図１４】短絡させる期間を選択期間の最初に設ける場合の駆動波形を示す説明図。
【図１５】コンデンサを備えた走査電極ドライバの例を示す説明図。
【図１６】従来の駆動波形の例を示す説明図。
【符号の説明】
１　液晶セル
２　走査電極ドライバ
３　信号電極ドライバ
１１　第一の配線
１２　第二の配線
１３　第三の配線
１４　第四の配線
１５　第五の配線
１６〜１８　スイッチ
２２　コントローラ
２３　電源回路
【図１】
2004054202.tif 000003
【図２】
2004054202.tif 000004
【図３】
2004054202.tif 000005
【図４】
2004054202.tif 000006
【図５】
2004054202.tif 000007
【図６】
2004054202.tif 000008
【図７】
2004054202.tif 000009
【図８】
2004054202.tif 000010
【図９】
2004054202.tif 000011
【図１０】
2004054202.tif 000012
【図１１】
2004054202.tif 000013
【図１２】
2004054202.tif 000014
【図１３】
2004054202.tif 000015
【図１４】
2004054202.tif 000016
【図１５】
2004054202.tif 000017
【図１６】
2004054202.tif 000018